(57)【要約】【課題】開放履歴を残さずには開放することができない基板ボックスを備えた遊技機において、基板ボックスを不正に開放させる行為を好適に抑制することを可能な遊技機を提供すること。【解決手段】基板ボックスは、表側構成体１０１と裏側構成体１０２とを備えている。表側構成体１０１及び裏側構成体１０２は、結合具ユニット３０１が第２固定部１３２に対して挿通されて係止されることによって固定されている。結合具ユニット３０１は、併用ピン３０２と、併用ピン３０２に着脱自在に取り付けられているストッパ部材３０３と、を備えている。痕跡カバー部材を基板ボックスに対して取り付ける場合には、ストッパ部材３０３を併用ピン３０２から取り外す。【選択図】      図２５
2010142358.tif 000002
【特許請求の範囲】
【請求項１】
第１構成体及び第２構成体を含む複数のボックス構成体により形成された基板ボックスを有するとともに、当該基板ボックス内に収容された制御基板を有する制御基板装置と、
固定具が前記第１構成体及び前記第２構成体に跨るように挿通されて係止されることによって、前記第１構成体と前記第２構成体との分離を規制するようにこれら両構成体を固定するとともに、破壊又は除去により前記第１構成体及び前記第２構成の固定状態が解除された場合には所定の痕跡を残存させる複数の固定手段と、
を備えた遊技機において、
前記固定具は、
前記複数の固定手段のうち１の固定手段に挿通される挿通部と、
前記挿通部の基端側に設けられ、前記挿通部が前記第１構成体及び前記第２構成体に跨る状態において、前記固定手段と当接する頭部と、
前記挿通部の前記頭部より先端側に設けられ、前記頭部が前記固定手段と当接している状態において、前記固定手段に対して係止する係止部と、
を備え、
前記係止部及び前記固定手段の係止箇所と、前記頭部との間隔を調整する間隔調整手段を備えていることを特徴とする遊技機。
【請求項２】
前記基板ボックスには、前記痕跡箇所を覆う痕跡カバー部材を取り付け可能とされており、
前記間隔調整手段は、前記痕跡カバー部材が前記基板ボックスに取り付けられていない場合には、前記頭部と前記係止部とによって両構成体のうち少なくとも一方の一部又は全部が挟み込まれるように前記間隔を調整する一方、前記痕跡カバー部材が前記基板ボックスに取り付けられている場合には、前記頭部及び前記固定手段によって前記痕跡カバー部材が挟み込まれた状態で前記係止部が係止可能となるように、前記間隔を調整するものであることを特徴とする請求項１に記載の遊技機。
【請求項３】
前記間隔調整手段は、前記痕跡カバー部材が前記基板ボックスに取り付けられている場合には、前記頭部と前記固定手段との両者に当接した状態で挟み込まれるように前記間隔を調整するものであることを特徴とする請求項２に記載の遊技機。
【請求項４】
前記間隔調整手段は、前記固定手段と当接することによって、前記固定手段に対する前記固定具のそれ以上の挿通を規制するストッパ部材を備え、
前記係止部は、前記ストッパ部材が前記固定手段に当接されている状態において、前記固定手段に対して係止するように形成されており、
前記ストッパ部材は、前記固定具に対して着脱自在に取り付けられているものであることを特徴とする請求項１乃至３のいずれか１に記載の遊技機。
【発明の詳細な説明】
【技術分野】
【０００１】
本発明は、遊技機に関するものである。
【背景技術】
【０００２】
遊技機の一種として、パチンコ遊技機やスロットマシン等が知られている。これらの遊技機は、ＣＰＵ（中央演算装置）や遊技に関わる制御プログラムが記憶されたＲＯＭ等の電子部品が実装された制御基板を備えており、その制御基板によって一連の遊技が制御されている。なお、近年においては、ＣＰＵやＲＯＭが１チップ化されて制御基板に実装されたものもある。
【０００３】
この種の遊技機においては、不正な利益を得ることを目的として、制御基板を不正に取り外して当該基板内のＲＯＭ（ＣＰＵやＲＯＭが１チップ化されている場合は当該チップ）を交換して遊技内容を変更したり、リード線等により外部から不正な電気信号を制御基板に入力させたりする等、制御基板に対しての不正行為が数多く報告されており、従来より各種の不正対策が検討されている。
【０００４】
例えば、基板ボックスを構成する複数のボックス構成体を相互に固定するための固定構造（いわゆる、カシメ構造）を持たせたものが知られている（例えば特許文献１参照）。当該固定構造は、その固定の解除に際して破壊を要するように構成されている。これにより、基板ボックスの開放時にはその破壊による開放履歴を残すことができ、不正に基板ボックスが開放された場合にはそれを発見することが可能となる。
【０００５】
このような固定構造としては例えば、複数のボックス構成体に固定部を設け、当該固定部に対して封印ネジ等の固定具が挿通され、係止されることによって複数のボックス構成体が固定される構造が考えられる。
【特許文献１】特開２００３−１８０９１７号公報
【発明の開示】
【発明が解決しようとする課題】
【０００６】
しかしながら、上記固定構造を備えた基板ボックスであっても未だに不正行為を行われる場合があり、未だ改善の余地がある。
【０００７】
本発明は、上記例示した事情等に鑑みてなされたものであり、開放履歴を残さずには開放することができない基板ボックスを備えた遊技機において、基板ボックスを不正に開放させる行為を好適に抑制することを可能な遊技機を提供することを目的とするものである。
【課題を解決するための手段】
【０００８】
以下、上記課題を解決するための手段について記載する。
【０００９】
請求項１記載の発明は、第１構成体及び第２構成体を含む複数のボックス構成体により形成された基板ボックスを有するとともに、当該基板ボックス内に収容された制御基板を有する制御基板装置と、固定具が前記第１構成体及び前記第２構成体に跨るように挿通されて係止されることによって、前記第１構成体と前記第２構成体との分離を規制するようにこれら両構成体を固定するとともに、破壊又は除去により前記第１構成体及び前記第２構成の固定状態が解除された場合には所定の痕跡を残存させる複数の固定手段と、を備えた遊技機において、前記固定具は、前記複数の固定手段のうち１の固定手段に挿通される挿通部と、前記挿通部の基端側に設けられ、前記挿通部が前記第１構成体及び前記第２構成体に跨る状態において、前記固定手段と当接する頭部と、前記挿通部の前記頭部より先端側に設けられ、前記頭部が前記固定手段と当接している状態において、前記固定手段に対して係止する係止部と、を備え、前記係止部及び前記固定手段の係止箇所と、前記頭部との間隔を調整する間隔調整手段を備えていることを特徴とする。
【発明の効果】
【００１０】
基板ボックスの不正な開放行為を好適に抑制することができる。
【発明を実施するための最良の形態】
【００１１】
＜第１の実施の形態＞
以下、遊技機の一種であるパチンコ遊技機（以下、「パチンコ機」という）の一実施の形態を、図面に基づいて詳細に説明する。図１はパチンコ機１０を前方から見た斜視図、図２はパチンコ機１０における遊技機本体１２の分解斜視図である。なお、図２では便宜上パチンコ機１０の遊技領域内の構成を省略している。
【００１２】
パチンコ機１０は、当該パチンコ機１０の外殻を形成する外枠１１と、この外枠１１に対して前方に回動可能（開閉可能）に取り付けられた遊技機本体１２とを有している。なお、パチンコ機１０において外枠１１は必須の構成ではなく、遊技場の島設備に外枠１１が備え付けられた構成としてもよい。
【００１３】
外枠１１は、矩形枠状をなしており、上下の枠が木製であり、左右の枠がアルミニウム等の金属によって形成されている。パチンコ機１０は、外枠１１を島設備に取り付け固定することにより、遊技場に設置される。なお、外枠１１を形成する材料は上記のものに限定されることはなく任意である。
【００１４】
外枠１１の一側部に遊技機本体１２が回動可能に支持されている。具体的には、図１に示すように、外枠１１における上枠部と左枠部との連結部分に上側支持用金具２１が固定されており、さらに外枠１１における下枠部と左枠部との連結部分に下側支持用金具２２が設けられている。これら上側支持用金具２１及び下側支持用金具２２により支持機構が構成され、当該支持機構によって外枠１１に対して遊技機本体１２が回動可能に支持されている。
【００１５】
また、遊技機本体１２には、図２に示すように、その回動先端部に施錠装置２３が設けられており、遊技機本体１２を外枠１１に対して閉鎖状態とした場合には施錠装置２３の鉤部材２４が外枠１１の右枠部の内側面に設けられた鉤受け部にて受けられ、遊技機本体１２の開放が抑制される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【００１６】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。
【００１７】
内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には、裏パックユニット１５が回動可能（開閉可能）に支持されており、正面視で左側を回動基端側（開閉基端側）とし右側を回動先端側（開閉先端側）として後方へ回動可能とされている。
【００１８】
次に、遊技機本体１２の前面側の構成について説明する。図３は内枠１３の正面図である。
【００１９】
内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【００２０】
ここで、遊技盤３３の構成を図４に基づいて説明する。遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４は、左右にそれぞれ２個ずつ合計４個設けられている。一般入賞口３４、可変入賞装置３５及び作動口３６に遊技球が入ると、それが後述する検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材（役物）が配設されている。
【００２１】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は第２特定ランプ部４４に対応しており、遊技球がスルーゲート３７を通過した回数は最大４回まで保留され保留ランプ部４６の点灯によってその保留個数が表示されるようになっている。
【００２２】
図柄表示装置４１は、液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００２３】
第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。なお、これら第１特定ランプ部４３及び第２特定ランプ部４４の制御は、後述する主制御装置により行われる。
【００２４】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。なお、可変入賞装置３５の駆動制御は、後述する主制御装置により行われる。
【００２５】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。
【００２６】
遊技球発射機構５０は、図３に示すように、樹脂ベース３１における窓孔３２の下方に取り付けられている。遊技球発射機構５０は、電磁式のソレノイド５１と、発射レール５２と、球送り機構５３とからなり、ソレノイド５１への電気的な信号の入力により当該ソレノイド５１の出力軸が伸縮方向に移動し、球送り機構５３によって発射レール５２上に置かれた遊技球を遊技領域に向けて打ち出す。
【００２７】
内枠１３の前面側全体を覆うようにして前扉枠１４が設けられている。前扉枠１４には、図１等に示すように、遊技領域のほぼ全域を前方から視認することができるようにした窓部５５が形成されている。窓部５５は、略楕円形状をなし、透明性を有するガラス５６が嵌め込まれている。窓部５５の周囲には、各種ランプ等の発光手段が設けられている。また、左上及び右上の位置には、遊技状態に応じた効果音などが出力されるスピーカ部が設けられている。
【００２８】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【００２９】
下側膨出部５８の右方には、手前側へ突出するようにしてハンドル装置５９が設けられている。ハンドル装置５９が操作されることにより、遊技球発射機構から遊技球が発射される。
【００３０】
次に、遊技機本体１２の背面側の構成について説明する。図５は内枠１３の背面図、図６は裏パックユニット１５の正面図である。
【００３１】
図５に示すように、内枠１３（遊技盤３３）の背面には、主制御装置ユニット６１及び音声ランプ制御装置ユニット６５が搭載されている。
【００３２】
主制御装置ユニット６１は、合成樹脂製の取付台を有し、取付台に主制御装置６３が搭載されている。主制御装置６３は、遊技の主たる制御を司る機能（主制御回路）と、電源を監視する機能（停電監視回路）とを有する主制御基板を具備している。
【００３３】
音声ランプ制御装置ユニット６５は、音声ランプ制御装置６６と、取付台とを具備する構成となっており、取付台上に音声ランプ制御装置６６が装着されている。音声ランプ制御装置６６は、主制御装置６３からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【００３４】
裏パックユニット１５は、図６に示すように、裏パック７１を備えており、当該裏パック７１に対して、払出機構部７２及び制御装置集合ユニット７３が取り付けられている。裏パック７１は透明性を有する合成樹脂により形成されており、払出機構部７２などが取り付けられるベース部７４と、パチンコ機１０後方に突出し略直方体形状をなす保護カバー部７５とを有する。
【００３５】
ベース部７４には、その右上部に外部端子板７６が設けられている。外部端子板７６には各種の出力端子が設けられており、これらの出力端子を通じて遊技場側の管理制御装置に対して各種信号が出力される。ベース部７４には、保護カバー部７５を迂回するようにして払出機構部７２が配設されている。すなわち、裏パック７１の最上部には上方に開口したタンク７７が設けられており、タンク７７には遊技場の島設備から供給される遊技球が逐次補給される。タンク７７の下方には、下流側に向けて緩やかに傾斜するタンクレールが連結され、タンクレールの下流側には上下方向に延びるケースレールが連結されている。ケースレールの最下流部には払出装置７８が設けられている。払出装置７８より払い出された遊技球は、当該払出装置７８の下流側に設けられた図示しない払出通路を通じて、上皿５７ａ又は下皿５８ａに排出される。
【００３６】
払出機構部７２には、裏パック基板７９が設置されている。裏パック基板７９には、例えば交流２４ボルトの主電源が供給され、電源スイッチの切替操作により電源ＯＮ又は電源ＯＦＦとされるようになっている。
【００３７】
ベース部７４の下端部には、制御装置集合ユニット７３が取り付けられている。制御装置集合ユニット７３は、横長形状をなす取付台８１を有し、取付台８１に払出制御装置８２と電源及び発射制御装置８３とが搭載されている。これら払出制御装置８２と電源及び発射制御装置８３とは、払出制御装置８２がパチンコ機１０後方となるように前後に重ねて配置されている。払出制御装置８２の具体的な構成については、後に説明する。
【００３８】
電源及び発射制御装置８３は、基板ボックス８４内に電源及び発射制御基板が収容されて構成されており、当該基板により、各種制御装置等で要する所定の電力が生成されて出力され、さらに遊技者によるハンドル装置５９の操作に伴う遊技球の打ち出しの制御が行われる。本パチンコ機１０は各種データの記憶保持機能を有しており、万一停電が発生した際でも停電時の状態を保持し、停電からの復帰の際には停電時の状態に復帰できるようになっている。
【００３９】
次に、払出制御装置８２の構成を図７〜図９に基づいて詳細に説明する。図７は払出制御装置８２の斜視図、図８は払出制御装置８２の正面図、図９は払出制御装置８２の分解斜視図である。
【００４０】
払出制御装置８２は、図９に示すように、払出制御基板９１と基板ボックス９２とを備えており、当該基板ボックス９２の内部空間に払出制御基板９１が収容されてなる。
【００４１】
払出制御基板９１は、払出装置７８を制御するＣＰＵ、そのＣＰＵにより実行される制御プログラムや固定値データ等を記憶したＲＯＭ、ワークメモリとして使用されるＲＡＭ等を備えている。本実施の形態では、ＣＰＵ、ＲＯＭ及びＲＡＭがＣＰＵチップ９３に１チップ化されている。また、詳細な説明は省略するが、入出力ドライバ用ＩＣチップ９４及びラッチ用ＩＣチップ９５が搭載されている。また、図示は省略するが、払出制御基板９１には、コンデンサや抵抗などの各種素子や、複数のコネクタが搭載されている。
【００４２】
払出制御基板９１においてＣＰＵチップ９３などの各種素子は全て同一の板面上に搭載されており、その逆側の板面にて半田付けされている。つまり、払出制御基板９１は、一方の板面が素子搭載面９６となっており、他方の板面が半田面となっている。なお、半田面とは、素子搭載面９６に搭載される各種素子の半田付け部分が設けられる面であるが、当該半田面に対して回路パターンが形成されていてもよい。
【００４３】
基板ボックス９２は、複数のボックス構成体として、表側構成体（ボックスカバー）１０１と裏側構成体（ボックスベース）１０２とを備えている。これら表側構成体１０１及び裏側構成体１０２は、基板ボックス９２内に収容された払出制御基板９１の素子搭載面９６及び半田面を基板ボックス９２外から視認可能なように透明性を有する材料により形成されている。具体的には、無色透明のポリカーボネート樹脂により形成されているが、形成材料はこれに限定されることなく、アクリル樹脂等であってもよい。
【００４４】
表側構成体１０１及び裏側構成体１０２が組み合わされることにより、図７及び図８に示すように、基板ボックス９２は四角箱状（略直方体形状）に形成されており、所定の内部空間を有している。詳細には、表側構成体１０１は、図９に示すように、当該表側構成体１０１の周縁を規定する表側周縁部１０３と、当該表側周縁部１０３から一方に膨出するようにして形成された膨出部１０４とが一体形成されてなる。これら表側周縁部１０３と膨出部１０４とにより、表側構成体１０１は膨出部１０４の膨出側とは反対側に開放された略直方体形状をなしている。
表側構成体１０１にはその背面側から払出制御基板９１がネジ固定されている（着脱可能な状態で固定されている）。なお、表側構成体１０１への払出制御基板９１のネジ固定は、払出制御基板９１の半田面側から行われており、払出制御基板９１の素子搭載面９６に搭載された各種素子は、払出制御基板９１と表側構成体１０１との間の領域内に収容されている。
【００４５】
払出制御基板９１が一体化された表側構成体１０１に対して、裏側構成体１０２が固定されている。裏側構成体１０２は、図９に示すように、正面視で四角形状、具体的には長方形状をなす略板状に形成されており、平面状に形成された平面部１０５と、当該平面部１０５の周縁を囲むようにして形成された裏側周縁部１０６とが一体形成されてなる。
【００４６】
表側構成体１０１に対してその裏面側から裏側構成体１０２を固定することにより、表側構成体１０１の表側周縁部１０３と裏側構成体１０２の裏側周縁部１０６とが重なり、膨出部１０４の裏面側への開放部分が裏側構成体１０２の平面部１０５により閉塞される。この場合、払出制御基板９１の半田面は、裏側構成体１０２により覆われている。つまり、払出制御基板９１の素子搭載面９６はその全体が表側構成体１０１と対向しており、払出制御基板９１の半田面はその全体が裏側構成体１０２と対向している。上記構成の払出制御装置８２は、図６に示すように、表側構成体１０１の表面がパチンコ機１０後方を向くようにして搭載されている。
【００４７】
次に、表側構成体１０１と裏側構成体１０２との固定に関する構成について詳細に説明する。両構成体１０１，１０２の固定に関する構成としては、両構成体１０１，１０２の相互の位置ずれを特定の方向のみに規制する規制手段を備えている。
【００４８】
先ず、規制手段について詳細に説明する。なお、以下の規制手段の説明では、図９だけでなく図１０も適宜参照する。図１０は払出制御装置８２の一部を拡大して示す側面図である。
【００４９】
図９に示すように、規制手段として、裏側構成体１０２には、フック部（係止部）１１１が一体形成されている。フック部１１１は複数設けられており、これらフック部１１１は裏側周縁部１０６の対向する各長辺部（具体的には、上縁部及び下縁部）において当該長辺部の延びる方向に沿って等間隔で形成されている。この場合、フック部１１１は、上下にそれぞれ４個ずつ形成されているが、複数であればその数は任意である。各フック部１１１は、全て同一形状となるように形成されているとともに、全て同一のサイズに形成されている。
【００５０】
フック部１１１の形状について詳細に説明する。裏側構成体１０２の裏側周縁部１０６における長辺部には、棒状に形成された凸部１１２を備えている。凸部１１２は長辺部に沿って形成されており、裏側周縁部１０６から表側構成体１０１側に起立させて形成されている。この場合、凸部１１２における裏側周縁部１０６からの突出寸法（高さ寸法）は、払出制御基板９１の厚み寸法と同一となっている。なお、凸部１１２における裏側周縁部１０６からの突出寸法を、払出制御基板９１の厚み寸法よりも大きくしてもよい。
【００５１】
凸部１１２には、複数のフック部１１１が形成されている。フック部１１１は凸部１１２を基端として形成されており、自由端側が裏側構成体１０２の一方の短辺部側、具体的には、右縁に向けて延びるように途中位置で折り曲げて形成されている。つまり、フック部１１１は凸部１１２から表側構成体１０１に向けて起立した起立部１１３と、起立部１１３から裏側構成体１０２の側縁に向けて延びる延出部１１４とが一体形成されてなる。
【００５２】
延出部１１４は起立部１１３の高さ寸法分、凸部１１２から離間されており、延出部１１４と凸部１１２との間には係止用溝１１５が形成されている。当該係止用溝１１５は延出部１１４に沿って形成されており、延出部１１４の自由端側において開放されている。
【００５３】
フック部１１１に対応させて表側構成体１０１には、係止受け１２１が一体形成されている。係止受け１２１の形状について詳細に説明する。表側構成体１０１の表側周縁部１０３には、裏側構成体１０２の凸部１１２と対応する辺部に当該辺部の全体に沿って凹部１２２が一体形成されている。凹部１２２は、裏側構成体１０２の凸部１１２に対応して凹んでいる。凹部１２２には、フック部１１１と１対１で対応させて係止受け１２１が形成されている。つまり、係止受け１２１は、上下にそれぞれ４個ずつ形成されている。但し、フック部１１１と１対１で対応しているのであれば、その具体的な数は任意である。各係止受け１２１は全て同一の形状及び大きさを有している。係止受け１２１は、裏側構成体１０２の厚み方向に貫通するスリットとして構成されている。係止受け１２１の幅寸法、すなわち係止受け１２１の表側周縁部１０３の短辺部に沿った方向の寸法は、フック部１１１の厚み寸法と同一又はそれよりも若干大きく設定されている。また、係止受け１２１の長さ寸法、すなわち係止受け１２１の表側周縁部１０３の長辺部に沿った方向の寸法は、延出部１１４の長さ寸法よりも大きく設定されている。
【００５４】
係止受け１２１の一端部には、図１０に示すように、スリット状の当該係止受け１２１を閉塞する受け部１２３が設けられている。この受け部１２３が形成された側の端部は、フック部１１１の自由端側に対応している。
【００５５】
受け部１２３は、係止受け１２１において裏側構成体１０２側の端部に形成されている。また、受け部１２３は、スリット状の係止受け１２１の全体を閉塞しているのではなく、一部のみを閉塞している。そして、係止受け１２１において受け部１２３が形成されていない側の端部から受け部１２３までの距離は、フック部１１１の延出部１１４が延びる方向の長さ寸法よりも大きくなっている。これにより、上記のように受け部１２３が形成された構成において、表側構成体１０１の裏側からフック部１１１を係止受け１２１内に挿入可能となっている。受け部１２３は、上記フック部１１１の係止用溝１１５内に入り込み可能な厚み寸法に設定されている。
【００５６】
表側構成体１０１と裏側構成体１０２とが一体化された状態では、図１０に示すように、係止受け１２１内にフック部１１１が挿入されおてり、フック部１１１の係止用溝１１５内に係止受け１２１の受け部１２３が入り込んでいる。そして、受け部１２３は、凸部１１２に当接しているとともに、フック部１１１の延出部１１４に当接している。
【００５７】
この場合、表側構成体１０１と裏側構成体１０２とを、係止用溝１１５に対する受け部１２３の入り込み方向に移動させて分離させようとしても、裏側構成体１０２の起立部１１３に受け部１２３が当接することで規制される。また、表側構成体１０１と裏側構成体１０２とを基板ボックス９２の厚み方向に分離させようとしても、フック部１１１と受け部１２３との当接により規制される。また、凸部１１２は、凹部１２２に対して嵌め込まれている。そして、フック部１１１は係止受け１２１に嵌め込まれた状態となっている。したがって、表側構成体１０１と裏側構成体１０２とを上下方向に移動させて分離させようとしても、凸部１１２及びフック部１１１が凹部１２２及び係止受け１２１に当接することで、当該移動が規制される。つまり、フック部１１１及び係止受け１２１により、表側構成体１０１と裏側構成体とを分離させる際の方向が、係止用溝１１５から受け部１２３を抜き取る方向、すなわち基板ボックス９２の一方の短辺側に規制されている。
【００５８】
特に、フック部１１１と係止受け１２１との組み合わせは、基板ボックス９２の両長辺部においてそれぞれ複数組設けられており、さらにはこれらの組み合わせは、各長辺部においてその長さ方向の略全体に亘って分散させた位置にて行われている。したがって、上記規制は強固に行われている。
【００５９】
次に、上記規制手段による表側構成体１０１と裏側構成体１０２との組み付け作業について図１１を用いて説明する。図１１（ａ）〜（ｃ）は表側構成体１０１と裏側構成体１０２との組み付け作業を説明するための説明図である。
【００６０】
表側構成体１０１と裏側構成体１０２とを相互に固定する場合、図１１（ａ）の状態から図１１（ｂ）の状態となるように、先ず表側構成体１０１の裏側からフック部１１１を係止受け１２１内に挿入する。この場合、フック部１１１の自由端が、挿入された係止受け１２１内の受け部１２３側を向いている。また、この状態では、表側構成体１０１と裏側構成体１０２とは完全に重なり合っておらず、左右方向にずれた状態となっている。
【００６１】
その後、表側構成体１０１又は裏側構成体１０２の少なくとも一方を、両構成体１０１，１０２が完全に重なり合う方向にスライド移動させることにより、図１１（ｃ）に示すように、フック部１１１の係止用溝１１５内に係止受け１２１の受け部１２３が入り込む。これにより、係止用溝１１５に対する受け部１２３の抜け方向にのみ移動可能なように表側構成体１０１及び裏側構成体１０２の移動方向が規制される。そして、当該状態において、表側構成体１０１及び裏側構成体１０２を相互に固定する第１固定部１３１、第２固定部１３２及び第３固定部１３３が設けられている。
【００６２】
各固定部１３１、１３２、１３３及びその周辺構造について、図７〜図９、図１２及び図１３を用いて説明する。図１２（ａ）は各固定部１３１、１３２の周辺の構成を表側から見た拡大図であり、図１２（ｂ）は各固定部１３１、１３２の周辺の構成を裏側から見た拡大図であり、図１３（ａ）はＡ−Ａ線断面図、図１３（ｂ）はＢ−Ｂ線断面図である。
【００６３】
第１固定部１３１、第２固定部１３２及び第３固定部１３３は、それぞれ種類の異なる固定具を用いて表側構成体１０１及び裏側構成体１０２を固定するものである。
【００６４】
第１固定部１３１は、図９に示すように、表側構成体１０１に設けられた第１表側結合部１４１と、裏側構成体１０２に設けられた第１裏側結合部１４２とを備えている。第１表側結合部１４１は表側構成体１０１の周縁に配置されており、第１裏側結合部１４２は裏側構成体１０２の周縁に配置されている。第１表側結合部１４１及び第１裏側結合部１４２は表裏方向に配置されており、図１３（ａ）に示すように、表側構成体１０１と裏側構成体１０２とが重なり合った状態において、第１表側結合部１４１と第１裏側結合部１４２とは重なり合っている。第１表側結合部１４１は第１裏側結合部１４２の反対側に開口した有底円筒形状をなしており、第１裏側結合部１４２側に底部１４３を有している。底部１４３には、第１裏側結合部１４２側に貫通した貫通孔１４４が設けられている。貫通孔１４４の孔径は、第１表側結合部１４１の内径よりも小さく形成されている。当該貫通孔１４４に対応して、第１裏側結合部１４２には、ネジ穴１４５が形成されている。第１表側結合部１４１及び第１裏側結合部１４２が重なり合った状態において、ネジ穴１４５は貫通孔１４４の同一軸線上に配置されている。これら貫通孔１４４及びネジ穴１４５に対して第１表側結合部１４１の開口側から破断ネジ１４６が螺着されている。
【００６５】
破断ネジ１４６は、ネジ溝が形成された軸部１４７と、軸部１４７の基端部に形成され、軸部１４７の外径よりも拡径させて形成されている頭部１４８と、を備えている。破断ネジ１４６がネジ穴１４５に螺着された場合、頭部１４８と貫通孔１４４の周縁とが当接している。これにより、第１表側結合部１４１が頭部１４８と第１裏側結合部１４２とによって挟持されている。よって、第１表側結合部１４１と第１裏側結合部１４２とが固定されるため、表側構成体１０１及び裏側構成体１０２の固定が実現されている。
【００６６】
次に、第２固定部１３２について、図９及び図１３（ｂ）を用いて説明する。第２固定部１３２は、図９に示すように、表側構成体１０１に設けられた第２表側結合部１５１と、裏側構成体１０２に設けられた第２裏側結合部１５２とを備えている。第２表側結合部１５１は第１表側結合部１４１と同様に表側構成体１０１の周縁に配置されており、第２裏側結合部１５２は第１裏側結合部１４２と同様に裏側構成体１０２の周縁に配置されている。図１３（ｂ）に示すように、第２表側結合部１５１及び第２裏側結合部１５２は表裏方向に配置されており、表側構成体１０１と裏側構成体１０２とが重なり合った状態において、第２表側結合部１５１と第２裏側結合部１５２とは重なり合っている。第２表側結合部１５１は第２裏側結合部１５２側に貫通した貫通孔１５３を備えており、全体として円筒形状をなしている。貫通孔１５３に対応して、第２裏側結合部１５２には凹部１５４が形成されている。凹部１５４は第２表側結合部１５１側に開口しており、第２表側結合部１５１及び第２裏側結合部１５２とが重なり合った状態において、貫通孔１５３と連通するように同一軸線上に配置されている。そして、これら貫通孔１５３及び凹部１５４に対して、第２表側結合部１５１の第２裏側結合部１５２とは反対側から固定具としての結合ピン１５５が挿入されている。
【００６７】
結合ピン１５５について詳細に説明すると、結合ピン１５５は、図９に示すように、全体として円筒形状をなしている。結合ピン１５５は、円筒形状のピン本体１５６と、ピン本体１５６の基端部に設けられた頭部１５７と、を有している。ピン本体１５６は、貫通孔１５３及び凹部１５４の大きさとほぼ同一又はそれよりも若干小さく設定されている。これにより、図１３（ｂ）に示すようにピン本体１５６を貫通孔１５３及び凹部１５４の組み合わせに対して挿入することができる。結合ピン１５５が挿入された状態において、表側構成体１０１又は裏側構成体１０２の少なくとも一方を係止用溝１１５に対する受け部１２３の抜け方向にスライド移動させようとした場合、表側構成体１０１及び裏側構成体１０２が結合ピン１５５と当接するため、当該移動が規制されている。よって、表側構成体１０１及び裏側構成体１０２の固定が実現されている。
【００６８】
ピン本体１５６には、弾性変形可能な係止爪部１５８が設けられている。係止爪部１５８は、ピン本体１５６の外周面よりも外側に突出している。係止爪部１５８は頭部１５７側に向けてピン本体１５６の外周面からの突出量が大きくなるように形成されている。係止爪部１５８に対応して、凹部１５４の第２表側結合部１５１側、すなわち凹部１５４の開口側には、凹部１５４の内周面の一部を拡径させて形成された係止受け空間部１５９が設けられている。係止受け空間部１５９は、係止爪部１５８がピン本体１５６の外周から突出している寸法分だけ、凹部１５４の内周面を拡径させて形成されている。これにより、結合ピン１５５が挿入された状態において、係止爪部１５８が係止受け空間部１５９にて起き上がっているため、当該係止爪部１５８の頭部１５７側の面が第２表側結合部１５１の第２裏側結合部１５２側の面に係止されている。これにより、結合ピン１５５の抜け落ちが抑制されている。なお、係止爪部１５８は少なくとも１つ設けられていればよく、その数は任意である。
【００６９】
係止爪部１５８が貫通孔１５３を通過できるように、係止爪部１５８の周囲には、切欠部１６０が形成されている。切欠部１６０は、係止爪部１５８の周囲のうち、ピン本体１５６の基端側の端部を残すように形成されている。つまり、係止爪部１５８は、頭部１５７側の端部を固定端として、頭部１５７側の端部とは反対側の端部を自由端として形成されている。つまり、係止爪部１５８は圧力を印加することによって撓む。これにより、係止爪部１５８は、何ら外部からの圧力が印加されていない自然状態では、ピン本体１５６の外周よりも外側に突出している一方、係止爪部１５８を内側に押圧することによって、係止爪部１５８がピン本体１５６内に没入することができる構造となっている。
【００７０】
結合ピン１５５のピン本体１５６が貫通孔１５３及び凹部１５４の組み合わせに対して挿入された場合、ピン本体１５６の外径と貫通孔１５３の孔径とは略同一となっているため、ピン本体１５６の外周よりも外側に突出している係止爪部１５８は第２表側結合部１５１の内周面によって押圧される。これにより、係止爪部１５８は弾性変形を伴いながらピン本体１５６の内側に没入する。そして、係止爪部１５８が係止受け空間部１５９に到達した場合、係止爪部１５８が起き上がり、当該係止爪部１５８の頭部１５７側の面が第２表側結合部１５１の第２裏側結合部１５２側の面に係止されている。これにより、結合ピン１５５の抜け落ちの抑制が実現されている。
【００７１】
結合ピン１５５と第２表側結合部１５１との係止状態下では、図１３（ｂ）に示すように、頭部１５７は第２表側結合部１５１と当接している。具体的には、頭部１５７はピン本体１５６の外径よりも拡径させて形成されているため、頭部１５７とピン本体１５６との間には段差面１６１が形成されている。当該段差面１６１が貫通孔１５３の周縁と当接している。ここで、段差面１６１と当接している貫通孔１５３の周縁の面を当接面１６２という。第２表側結合部１５１において当接面１６２から第２裏側結合部１５２側の面までの距離は、結合ピン１５５において段差面１６１から係止爪部１５８の頭部１５７側の端面までの距離と同一になるように設定されている。これにより、頭部１５７と第２表側結合部１５１との間に隙間が形成されないため、隙間から不正行為を抑制することができる。
【００７２】
当接面１６２は、第２表側結合部１５１の第２裏側結合部１５２側と反対側の端面から第２裏側結合部１５２側にオフセットさせて形成されている。具体的には、第２表側結合部１５１の貫通孔１５３における結合ピン１５５の差込口側には、貫通孔１５３に対して段差状に拡径された頭収容部１６３が形成されており、当該頭収容部１６３と貫通孔１５３との間に形成された段差面が当接面１６２となっている。頭収容部１６３は貫通孔１５３と同一軸線上に設けられている。頭収容部１６３の高さ寸法は、頭部１５７の軸線方向の寸法と略同一又はそれよりも若干大きく設定されているとともに、頭収容部１６３の内径は頭部１５７の外径と同一又はそれよりも若干大きく設定されている。これにより、当接面１６２は、頭部１５７の軸線方向の寸法分だけ第２裏側結合部１５２側にオフセットした位置に配置されている。かかる場合、頭部１５７は頭収容部１６３に隙間なく収容されるため、頭部１５７を掴むことが困難になっている。よって、頭部１５７を掴んで引き抜くといった不正行為を抑制することができる。
【００７３】
これら各固定部１３１、１３２は、図１２に示すように、基板ボックス９２の１の短辺部に沿って並設されている。当該短辺部の中間部に第１固定部１３１が設けられており、その両側にそれぞれ２つの第２固定部１３２が配置されている。換言すれば、第１固定部１３１は第２固定部１３２に挟まれるように配置されている。これにより、第１固定部１３１によって裏側構成体１０２に対する表側構成体１０１の浮き上がりが抑制されているため、各構成体１０１、１０２の両端における隙間の発生を好適に抑制することができる。
【００７４】
また、第２固定部１３２は複数設けられているため、一度使用した第２固定部１３２に代えて他の第２固定部１３２を使用することによって再度の固定をすることができる。なお、第２固定部１３２における結合ピン１５５の取付作業に関して、特に工具等を使用する必要がない。よって、再度の固定を容易に行うことができるようになっている。
【００７５】
第３固定部１３３は、図８等に示すように、第１固定部１３１及び第２固定部１３２が設けられている基板ボックス９２の１の短辺部とは異なる他の短辺部に設けられている。第３固定部１３３は、表側構成体１０１に設けられた貫通孔と、裏側構成体１０２に設けられ、当該貫通孔と連通するネジ穴とから形成されており、これら貫通孔及びネジ穴に対してネジを挿通させることによって固定されている。これにより、裏側構成体１０２に対して表側構成体１０１の浮き上がりが抑制されている。つまり、基板ボックス９２の長辺部に関しては各長辺部に設けられているフック部１１１等によって、短辺部に関しては第１固定部１３１及び第３固定部１３３によって、裏側構成体１０２に対する表側構成体１０１の浮き上がりが抑制されている。換言すれば、基板ボックス９２における周縁部の全周において、表側構成体１０１及び裏側構成体１０２の間に隙間が形成されにくくなっている。
【００７６】
次に、基板ボックス９２に対する第１固定部１３１及び第２固定部１３２の取り付け状態について説明する。基板ボックス９２の１の短辺部には、図７及び図９に示すように、表側周縁部１０３において基板ボックス９２の内部空間を規定する表側規定壁部１７１と、裏側周縁部１０６において基板ボックス９２の内部空間を規定する裏側規定壁部１７２とが設けられている。表側規定壁部１７１及び裏側規定壁部１７２が重なり合うことによって、基板ボックス９２の１の短辺部が規定されている。裏側規定壁部１７２に各裏側結合部１４２、１５２が一体形成されているとともに、表側規定壁部１７１設けられた取付壁部１７３に各表側結合部１４１、１５１が取り付けられていることによって、第１固定部１３１及び第２固定部１３２は表側構成体１０１及び裏側構成体１０２に取り付けられている。
【００７７】
取付壁部１７３は、各表側結合部１４１、１５１を取り付けるための壁部である。取付壁部１７３は、図７及び図１３に示すように、表側規定壁部１７１を表裏方向に延出させて形成されている。第１固定部１３１には、図１２（ａ）に示すように、取付壁部１７３に第１表側結合部１４１を連結する第１連結部１７４が設けられており、第２固定部１３２には、取付壁部１７３に第２表側結合部１５１を連結する第２連結部１７５が設けられている。第１表側結合部１４１は第１連結部１７４及び取付壁部１７３を介して表側構成体１０１と一体形成されており、第２表側結合部１５１は第２連結部１７５及び取付壁部１７３を介して表側構成体１０１と一体形成されている。
【００７８】
第１連結部１７４は、表裏方向に延びた薄い板状をなしている。第１連結部１７４は、互いに離間して２つ設けられており、両者の間には、ニッパやカッタなどの工具を差込可能な空間が形成されている。これにより、第１連結部１７４は、ニッパやカッタなどによって容易に切断することができるようになっている。よって、遊技場などにおいて払出制御基板９１の検査を行うために基板ボックス９２を開放する場合には第１連結部１７４を切断することで、第１表側結合部１４１を表側構成体１０１から分離させることができる。
【００７９】
第２連結部１７５は、それぞれ第１連結部１７４と同様に、表裏方向に延びた板状をなしており、ニッパやカッタなどの工具により容易に切断しやすいように幅寸法が小さく設定されている。これにより、第２連結部１７５を切断することによって、第２表側結合部１５１は表側構成体１０１から分離されるため、スライド移動が可能となる。
【００８０】
また、取付壁部１７３と膨出部１０４との間には、取付壁部１７３と膨出部１０４とを連結する第３連結部１７６が設けられている。第３連結部１７６は、第２連結部１７５と同様に、表側構成体１０１から表裏方向に起立した板状をなしている。第３連結部１７６は各固定部１３１、１３２に対応して複数設けられており、等間隔に配置されている。取付壁部１７３は膨出部１０４に対して支持されている。よって、取付壁部１７３を撓ませて、不正治具を挿入する等の不正行為を好適に抑制することができる。特に、各連結部１７４、１７５の切断作業の際、取付壁部１７３には負荷がかかる。これにより、取付壁部１７３が撓んだ場合、不正行為が行い易くなるとともに、当該撓みが不正行為によって発生したものなのか、切断作業の際に発生したものなのかの判断が難しい場合がある。すると、不正行為の発見が遅れる可能性がある。これに対して、各固定部１３１、１３２毎に第３連結部１７６を設け、取付壁部１７３が第３連結部１７６によって支持される構成とすることにより、切断作業の際に撓みが発生しにくいため、取付壁部１７３を撓ませることによる不正行為を抑制するとともに、当該不正行為を容易に発見することができる。
【００８１】
基板ボックス９２の１の短辺部には、図７及び図８に示すように、各固定部１３１、１３２を囲む囲み部１７９が設けられている。囲み部１７９は表裏方向に開口した略直方体形状をなしている。囲み部１７９によって形成された領域内に各固定部１３１、１３２が収容されている。
【００８２】
囲み部１７９は、底部としてのベース部１８０と、当該ベース部１８０の周縁に立設された囲み壁部１８１とを有している。ベース部１８０は、図１２（ｂ）に示すように、裏側規定壁部１７２から側方に延出させて形成されており、略板状をなしている。当該ベース部１８０に、各裏側結合部１４２、１５２が一体形成されている。これにより、各裏側結合部１４２、１５２はベース部１８０を介して裏側構成体１０２に一体形成されている。
【００８３】
囲み壁部１８１は、ベース部１８０を底部としてその周縁に立設された壁部であり、基板ボックス９２の１の短辺部から側方に突出させて形成されている。囲み壁部１８１は、裏側構成体１０２に設けられ、ベース部１８０の周縁に立設された裏側囲み壁部１８２と、表側構成体１０１に設けられた表側囲み壁部１８３と、を備えている。
【００８４】
裏側囲み壁部１８２は、ベース部１８０の周縁を囲むように形成されている。裏側囲み壁部１８２は、図９に示すように、裏側規定壁部１７２の両端の近傍からそれぞれ基板ボックス９２の側方に延出させて形成された対向する２つの裏側第１側壁部１８２ａと、裏側第１側壁部１８２ａと略直交するように形成された裏側第２側壁部１８２ｂと、から形成されている。裏側第２側壁部１８２ｂは、裏側規定壁部１７２から離間された位置に配置されている。各裏側結合部１４２、１５２は、裏側規定壁部１７２及び裏側第２側壁部１８２ｂの間、かつ２つの裏側第１側壁部１８２ａの間に配置されている。ベース部１８０、裏側規定壁部１７２、裏側第１側壁部１８２ａ及び裏側第２側壁部１８２ｂによって囲まれた裏側結合領域１８４内に、第１裏側結合部１４２及び第２裏側結合部１５２が収容されている。
【００８５】
次に、表側囲み壁部１８３の形状について図９及び図１２（ａ）を用いて説明する。膨出部１０４には、膨出部１０４の周縁を規定する膨出規定壁部１８５が設けられている。表側囲み壁部１８３は膨出規定壁部１８５から膨出部１０４の側方に突出させて形成されている。表側囲み壁部１８３は、膨出規定壁部１８５から、それぞれ表側構成体１０１の長辺方向に延びて形成されている対向する２つの表側第１側壁部１８３ａと、膨出規定壁部１８５から離間された位置に形成された表側第２側壁部１８３ｂと、から形成されている。取付壁部１７３は、表側囲み壁部１８３と膨出規定壁部１８５とによって囲まれた領域を区画するように配置されている。詳細には、取付壁部１７３の両端は２つの表側第１側壁部１８３ａに配置されており、取付壁部１７３は２つの表側第１側壁部１８３ａを連結するように形成されている。表側規定壁部１７１及び取付壁部１７３と表側第２側壁部１８３ｂとの間、かつ２つの表側第１側壁部１８３ａの間に、第１表側結合部１４１及び第２表側結合部１５１が配置されている。各表側結合部１４１、１５１、取付壁部１７３及び表側囲み壁部１８３における表側の一端、すなわち囲み壁部１８１の上端は、同一平面にある。当該平面は、表裏方向に直交する平坦な水平面である。表側規定壁部１７１、２つの表側第１側壁部１８３ａ及び表側第２側壁部１８３ｂによって囲まれた表側結合領域１８６内に、第１表側結合部１４１及び第２表側結合部１５１が収容されている。
【００８６】
表側囲み壁部１８３の裏側囲み壁部１８２側の端部と裏側囲み壁部１８２の表側囲み壁部１８３側の端部とは、図１３に示すように、当接している。これにより、表側囲み壁部１８３及び裏側囲み壁部１８２によって面一の壁部が形成されている。つまり、表側結合領域１８６及び裏側結合領域１８４は、表裏方向に対して重なり合っており、当該重なり合った領域内に、各固定部１３１、１３２が収容されている。換言すれば、表側規定壁部１７１、裏側規定壁部１７２、取付壁部１７３、ベース部１８０、囲み壁部１８１によって基板ボックス９２の表側以外が閉じられた領域が形成されており、当該領域内に各固定部１３１、１３２が収容されている。さらに換言すれば、基板ボックス９２の短辺部には、基板ボックス９２の短辺部を一部として各固定部１３１、１３２を収容する領域を区画形成するものであって、所定の方向に開口した囲み部１７９が設けられており、当該囲み部１７９によって形成された領域内に各固定部１３１、１３２が収容されている。そして、各固定部１３１、１３２のそれぞれに対して開口側から固定具としての破断ネジ１４６及び結合ピン１５５が挿入されることによって表側構成体１０１及び裏側構成体１０２が相互に固定されるとともに、第１連結部１７４、第２連結部１７５、第４連結部１８８、壁連結部１８９及び切断部１９０を切断することによって当該固定状態が解除される。これにより、各固定部１３１、１３２に対して開口側以外の外部から不正行為を施す場合、当該行為は囲み部１７９によって抑制される。よって、各固定部１３１、１３２に対する不正行為を抑制することができる。
【００８７】
裏側囲み壁部１８２の表側囲み壁部１８３側には、図９及び図１３に示すように、表側囲み壁部１８３の外側の面と当接する返し壁部１８７が設けられている。返し壁部１８７は、裏側囲み壁部１８２から表側囲み壁部１８３側へ起立して設けられている。返し壁部１８７は、裏側囲み壁部１８２から外側に突出しており、返し壁部１８７と裏側囲み壁部１８２とは段差状になっている。返し壁部１８７は、返し壁部１８７の内側の面と、表側囲み壁部１８３の外側の面とが当接するように形成されている。これにより、裏側構成体１０２に対する表側構成体１０１の位置が規定されている。よって、容易に表側構成体１０１を所定の位置に配置することができる。
【００８８】
また、返し壁部１８７が表側囲み壁部１８３側に起立しているため、表側囲み壁部１８３と裏側囲み壁部１８２との境界が返し壁部１８７によって覆われている。これにより、当該境界に対して不正行為を行うことが困難になっているため、当該不正行為を抑制することができる。
【００８９】
第２表側結合部１５１と表側囲み壁部１８３との間には、図１２（ａ）に示すように、第２表側結合部１５１及び表側囲み壁部１８３を連結する第４連結部１８８が設けられている。表側囲み壁部１８３は、第４連結部１８８を介して第２表側結合部１５１と一体形成されている。つまり、表側囲み壁部１８３は第４連結部１８８によって第２表側結合部１５１に対して支持されている。よって、表側囲み壁部１８３は撓みにくくなっているため、表側囲み壁部１８３を撓ませることによって、表側囲み壁部１８３及び裏側囲み壁部１８２の間、及び表側囲み壁部１８３及び返し壁部１８７の間に隙間を形成させ、当該隙間から不正治具を挿入させる不正行為を抑制することができる。
【００９０】
第４連結部１８８は、第１連結部１７４及び第２連結部１７５と同様に表裏方向に延びた板状をなしており、ニッパやカッタなどの工具により容易に切断しやすいように幅寸法が小さく設定されている。第２表側結合部１５１は、第２連結部１７５及び第４連結部１８８を切断することによって、結合ピン１５５ごと表側構成体１０１から取り外される。これにより、裏側構成体１０２に対して表側構成体１０１をスライド移動させることができる。よって、基板ボックス９２を開放することができるとともに、第２連結部１７５及び第４連結部１８８の切断箇所が開放履歴として残存することとなる。
【００９１】
基板ボックス９２の１の短辺部には、表側囲み壁部１８３及び取付壁部１７３を連結する壁連結部１８９が設けられている。壁連結部１８９は、表裏方向に対して直交する方向に延びた板状をなしている。壁連結部１８９は第１表側結合部１４１及び第１連結部１７４の周囲に形成されている。具体的には、壁連結部１８９は第１表側結合部１４１及び第１連結部１７４によって囲まれた領域を切り抜いた形状をなしている。これにより、第１連結部１７４が設けられている取付壁部１７３側の壁連結部１８９は２つに分離しているとともに、表側囲み壁部１８３側よりも細くなっている。よって、壁連結部１８９における取付壁部１７３側の箇所は切断し易くなっている。
【００９２】
壁連結部１８９は取付壁部１７３及び表側囲み壁部１８３を連結しているため、表側囲み壁部１８３は壁連結部１８９によって取付壁部１７３に対して支持されている。これにより、表側囲み壁部１８３の撓み変形を抑制している。よって、撓み変形による隙間の発生を抑制することができる。
【００９３】
表側囲み壁部１８３には、図７及び図１２（ａ）に示すように、表側囲み壁部１８３の領域を区画するように切断部１９０が設けられている。切断部１９０は、壁連結部１８９と表側囲み壁部１８３との連結箇所の両側に形成されている。切断部１９０は、表側囲み壁部１８３を内外に貫通する多数（又は複数）の貫通孔を表裏方向に並設することにより形成されている。これにより、表側囲み壁部１８３において、切断部１９０は他の箇所に比べて切断し易くなっている。
【００９４】
第１連結部１７４を切断した場合、第１固定部１３１の固定は維持された状態で、第１固定部１３１と表側構成体１０１との連結は解除される。かかる場合、裏側構成体１０２に対して表側構成体１０１をスライド移動させようとすると、第１表側結合部１４１と壁連結部１８９とが当接する。これにより、当該スライド移動が規制されている。つまり、第１連結部１７４を切断した場合であっても、壁連結部１８９によって当該スライド移動が規制されている。かかる規制状態は、壁連結部１８９の取付壁部１７３側を切断するとともに、切断部１９０を切断することによって解除される。これにより、基板ボックス９２の開放には多数の切断を要するとともに、切断箇所が多数残存することになる。したがって、基板ボックス９２の開放を手間取らせるとともに、開放履歴としての切断箇所が多数形成されることとなる。よって、基板ボックス９２の不正開放を抑制するとともに、その開放を容易に発見することができる。
【００９５】
なお、第１固定部１３１によって裏側構成体１０２に対する表側構成体１０１の浮き上がりが抑制されているため、第１固定部１３１は不正行為の対象になり易い。これに対して、当該壁連結部１８９が第１表側結合部１４１の周囲を覆うように形成されているため、第１裏側結合部１４２及び第１表側結合部１４１と第１裏側結合部１４２との境界に対して不正治具などを挿入しづらくなっている。これにより、第１裏側結合部１４２、及び第１表側結合部１４１と第１裏側結合部１４２との境界に対する不正行為を抑制することができる。
【００９６】
次に、表側構成体１０１と裏側構成体１０２とを固定する作業の流れを、図１４を用いて説明する。図１４は、表側構成体１０１と裏側構成体１０２とを固定する作業の流れを説明するための説明図である。
【００９７】
表側構成体１０１と裏側構成体１０２とは、互いに重ね合わせるとともに、第１固定部１３１に対して破断ネジ１４６を挿入し、第２固定部１３２に対して結合ピン１５５を挿入することによって固定される。
【００９８】
まず、図１４（ａ）に示すように、上述したようにフック部１１１を係止受け１２１内に挿入し、表側構成体１０１又は裏側構成体１０２の少なくとも一方を、両構成体１０１，１０２が完全に重なり合う方向にスライド移動させる。すると、図１４（ｂ）に示すように、表側囲み壁部１８３の外側の面と、返し壁部１８７の内側の面とが当接する。かかる状態において、第１表側結合部１４１に設けられている貫通孔１４４と第１裏側結合部１４２に設けられているネジ穴１４５とが連通するとともに、第２表側結合部１５１に設けられている貫通孔１５３と第２裏側結合部１５２に設けられている凹部１５４とが連通する。
【００９９】
かかる状態において、貫通孔１４４及びネジ穴１４５の組み合わせに対して破断ネジ１４６を挿入するとともに、貫通孔１５３及び凹部１５４の組み合わせに対して結合ピン１５５を挿入する。そして、破断ネジ１４６を螺着するとともに、結合ピン１５５を第２表側結合部１５１と係止状態となる位置まで差し込む。これにより、図１４（ｃ）に示すように表側構成体１０１と裏側構成体１０２とが固定状態となる。
【０１００】
次に、表側構成体１０１と裏側構成体１０２との固定状態の解除について図１５を用いて説明する。図１５は、表側構成体１０１と裏側構成体１０２との固定を解除する場合の作業の流れを説明するための説明図である。
【０１０１】
表側構成体１０１と裏側構成体１０２との固定状態の解除に際しては、第１表側結合部１４１を表側構成体１０１から分離させるとともに、第２表側結合部１５１を表側構成体１０１から分離させる。
【０１０２】
まず、第１固定部１３１に関しては、図１５（ａ）に示すように、第１連結部１７４を切断するとともに、壁連結部１８９の取付壁部１７３側の箇所及び切断部１９０をニッパやカッタ等の工具により切断する。これにより、表側構成体１０１又は裏側構成体１０２のスライド移動が、第１固定部１３１により阻害されなくなるとともに、その切断箇所が開放履歴として残存する。
【０１０３】
この場合に、表側結合領域１８６に、切断作業を行う対象である第１連結部１７４、壁連結部１８９及び切断部１９０を設けたことにより、裏側結合領域１８４にまで工具を差し込む必要がない。よって、容易に切断作業をすることができる。
【０１０４】
次に、第２固定部１３２に関しては、結合ピン１５５が挿入されている第２表側結合部１５１における第２連結部１７５及び第４連結部１８８をニッパやカッタ等の工具により切断する。第２裏側結合部１５２には結合ピン１５５のピン本体１５６の先端部が挿入されているだけであり、これらは何ら係止状態にないため、図１５（ｂ）に示すように、第２連結部１７５及び第４連結部１８８の切断により第２表側結合部１５１と結合ピン１５５とが表側構成体１０１から容易に引き抜かれる。これにより、表側構成体１０１又は裏側構成体１０２のスライド移動が、第２固定部１３２により阻害されなくなる。引き抜かれた第２表側結合部１５１と結合ピン１５５とは、結合ピン１５５の係止爪部１５８を指又は工具等で押さえて内側に没入させることによって容易に分離することができる。分離された結合ピン１５５は何ら変形や破壊を伴っていることはなく、同一の結合ピン１５５が次回の結合に用いられる。
【０１０５】
その後、フック部１１１及び係止受け１２１により規制された方向に表側構成体１０１又は裏側構成体１０２の少なくとも一方をスライド移動させる。これにより、フック部１１１と係止受け１２１との係止状態が解除される。その後、図１５（ｃ）に示すように、表側構成体１０１と裏側構成体１０２とを表裏方向に分離させることで、これら構成体１０１、１０２が完全に分離された状態となる。この場合、上記各連結部１７４、１７５、１８８、１８９及び切断部１９０が切断されているため、当該各連結部１７４、１７５、１８８、１８９及び切断部１９０の切断箇所を確認することで表側構成体１０１と裏側構成体１０２とが分離されたか否かを確認することが可能となる。
【０１０６】
ここで、切断箇所又はその近傍に対して不正行為（穴を設けたり隙間を形成したりして基板に不正アクセスしようとする行為等）が行われた場合、開放履歴としての痕跡と、不正行為による痕跡とで、混同が生じるおそれがある。つまり、その痕跡が不正行為によるものなのか、正規の切断によって形成されたものなのかの判断をしづらい場合がある。これにより、不正行為を容易に発見できないおそれがある。これに対して、再度の固定処理の際に、切断箇所を覆う痕跡カバー部材１９１が基板ボックス９２に対して取り付けられている。
【０１０７】
＜痕跡カバー部材１９１について＞
痕跡カバー部材１９１が取り付けられた基板ボックス９２の構成について図１６〜図１９を用いて説明する。図１６は、再度の固定処理を行った場合における基板ボックス９２の斜視図であり、図１７（ａ）は、痕跡カバー部材１９１の斜視図であり、図１７（ｂ）は、痕跡カバー部材１９１の平面図であり、図１７（ｃ）は、Ｃ−Ｃ線断面図であり、図１８（ａ）は、痕跡カバー部材１９１の周辺構成を示す平面図であり、図１８（ｂ）は、痕跡カバー部材１９１の周辺構成を示す底面図であり、図１９は、Ｄ−Ｄ線断面図であり、図２０は、Ｅ−Ｅ線断面図である。
【０１０８】
再度の固定処理の際、基板ボックス９２には、図１６に示すように痕跡カバー部材１９１が取り付けられている。痕跡カバー部材１９１は、無色透明のポリカーボネート樹脂で形成されており、内部を視認することができる。なお、痕跡カバー部材１９１の形成材料はこれに限定されることは無く、アクリル樹脂等であってもよく、要は透明部材で形成されていればよい。
【０１０９】
痕跡カバー部材１９１は、略直方体形状をなしている。痕跡カバー部材１９１には、図１７（ｃ）に示すように、所定の方向に開口した開口部１９２が設けられている。開口部１９２は、囲み部１７９が挿通可能な大きさに形成されており、所定の方向に痕跡カバー部材１９１をスライド移動させることによって基板ボックス９２に取り付けられている。開口部１９２は、基板ボックス９２に取り付けられた状態において、基板ボックス９２の内部空間を規定する側壁部（具体的には表側規定壁部１７１、裏側規定壁部１７２、及び膨出規定壁部１８５）によって塞がれるように形成されている。
【０１１０】
痕跡カバー部材１９１は、表側結合領域１８６の表側を覆う表面カバー部１９３と、表面カバー部１９３と略平行であって、ベース部１８０を外側から覆う裏面カバー部１９４と、表面カバー部１９３及び裏面カバー部１９４に対して略直交しているものであって、表側囲み壁部１８３及び裏側囲み壁部１８２を覆う側面カバー部１９５と、を有している。これにより、これら各カバー部１９３、１９４、１９５によって形成されている領域内に囲み部１７９が収容されている。つまり、痕跡カバー部材１９１は囲み部１７９の全周を囲むように形成されている。よって、囲み部１７９に収容されている各固定部１３１、１３２及び切断箇所が痕跡カバー部材１９１によって覆われている。
【０１１１】
各カバー部１９３、１９４、１９５について詳細に説明する。先ず、表面カバー部１９３について説明すると、表面カバー部１９３は板状に形成されており、図１８（ａ）に示すように、表側結合領域１８６の表側を覆っている。そして、図１９に示すように、表面カバー部１９３と表側囲み壁部１８３とが当接しているとともに、表面カバー部１９３と取付壁部１７３とが当接している。これにより、各固定部１３１、１３２が、表側規定壁部１７１、裏側規定壁部１７２、取付壁部１７３、囲み部１７９及び表面カバー部１９３によって形成される閉空間に収容されることとなる。よって、各連結部１７４、１７５、１８８、１８９及び切断部１９０が閉空間に収容されることとなる。したがって、痕跡箇所としての切断箇所に対する不正行為を抑制することができるとともに、当該切断箇所に対して不正行為を施す場合には、これら表面カバー部１９３又は囲み部１７９に何らかの痕跡が形成されるため、当該不正行為を容易に発見することができる。
【０１１２】
特に、表側結合領域１８６に関しては、破断ネジ１４６並びに結合ピン１５５の挿入及び切断作業等のために、表側結合領域１８６を規定する壁部は基板ボックス９２の表側には設けられていない。換言すれば、第１固定部１３１及び第２固定部１３２を収容する領域を区画形成する囲み部１７９は表側に開口している。これにより、当該作業を容易に行うことができる反面、当該切断箇所等に対して不正行為を行い易い。これに対して、表側結合領域１８６の表側が痕跡カバー部材１９１によって覆われ、痕跡カバー部材１９１と表側結合領域１８６を区画形成する取付壁部１７３並びに表側囲み壁部１８３とが当接することによって、閉空間が形成されている。換言すれば、囲み部１７９の開口が表面カバー部１９３によって塞がれており、囲み部１７９と痕跡カバー部材１９１とによって閉空間が形成されている。当該閉空間内に各固定部１３１、１３２及び切断箇所が収容されている。これにより、切断箇所に対する不正行為が行いにくくなるため、当該不正行為を抑制することができる。また、仮に切断箇所に対して不正行為が行われた場合であっても、痕跡カバー部材１９１に痕跡が残存するため、当該行為を容易に発見することができる。
【０１１３】
表側結合領域１８６の表側が表面カバー部１９３によって覆われているため、図１８（ａ）及び図１９に示すように、結合箇所が表面カバー部１９３によって覆われている。これにより、結合箇所に対して不正行為を行おうとしても痕跡カバー部材１９１によって抑制される。つまり、痕跡カバー部材１９１は、痕跡箇所だけでなく結合箇所を覆う機能を有している。よって、結合箇所に対する不正行為を抑制することができる。
【０１１４】
具体的には、複数ある第２固定部１３２のうち、最初の固定処理で使用したもの以外の第２固定部１３２に対して、結合ピン１５５が挿入されることによって、表側構成体１０１及び裏側構成体１０２が相互に結合されている。ここで使用する結合ピン１５５は、最初の固定処理において使用され、先の開放作業の際に破壊されることなく取り外された結合ピン１５５である。かかる状態で、痕跡カバー部材１９１が基板ボックス９２に対して取り付けられている。これにより、閉空間が形成され、当該閉空間内に結合ピン１５５の結合箇所が収容されている。よって、痕跡カバー部材１９１を破壊又は除去しない限り、結合箇所に対して不正行為を行うことができない。また、仮に不正行為を行ったとしても、痕跡カバー部材１９１に痕跡が残るため、不正行為を容易に発見することができる。
【０１１５】
さらに、表面カバー部１９３の裏側の面、すなわち表面カバー部１９３の内側面１９６は平坦に形成されている。また、囲み壁部１８１（具体的には表側囲み壁部１８３）の上端は同一水平面上にある。これにより、表面カバー部１９３と囲み壁部１８１との間に隙間が形成されにくい。よって、これらの隙間からの不正治具の挿入を好適に抑制することができる。
【０１１６】
表面カバー部１９３は、図１８（ａ）及び図１９に示すように、取付壁部１７３から膨出部１０４の膨出規定壁部１８５までを余分に覆っている。つまり、表面カバー部１９３は表側結合領域１８６よりもスライド方向にオーバーラップして覆っている。これにより、表面カバー部１９３と取付壁部１７３との境界に対するアクセスが困難になっている。よって、取付壁部１７３と表面カバー部１９３との境界に対する不正行為をより好適に抑制している。また、表面カバー部１９３は表側結合領域１８６よりもスライド方向にオーバーラップして覆っているため、痕跡カバー部材１９１を撓ませても、取付壁部１７３と表面カバー部１９３との間に隙間が形成されにくい。よって、痕跡カバー部材１９１を撓ませることにより隙間を形成させ、当該隙間から不正治具を挿入する不正行為を抑制することができる。
【０１１７】
さらに、表面カバー部１９３は、膨出規定壁部１８５と当接するように形成されているため、表面カバー部１９３と膨出部１０４との間に隙間が形成されにくくなっている。これにより、当該隙間からの不正治具の侵入を抑制することができる。
【０１１８】
裏面カバー部１９４は、図１８（ｂ）に示すように、表面カバー部１９３と略平行の板状をなしており、ベース部１８０の外側を覆うように形成されている。具体的には、裏面カバー部１９４の表側構成体１０１側の面、すなわち裏面カバー部１９４の内側面がベース部１８０の外側面に当接するように裏面カバー部１９４は設けられている。つまり、裏面カバー部１９４は、表面カバー部１９３に対して、囲み壁部１８１の表裏方向の寸法だけ離間した位置に配置されており、囲み壁部１８１は表面カバー部１９３及び裏面カバー部１９４によって挟まれた領域に配置されている。また、表側囲み壁部１８３は表側構成体１０１に対して一体形成されているとともに、裏側囲み壁部１８２は裏側構成体１０２に対して一体形成されている。これにより、表側構成体１０１又は裏側構成体１０２の少なくとも一方を表裏方向へ移動させようとしても、当該移動は、表側囲み壁部１８３と表面カバー部１９３との当接又は裏側囲み壁部１８２と裏面カバー部１９４との当接によって規制される。よって、基板ボックス９２を開放する際には、痕跡カバー部材１９１の取り外しを要することになるため、基板ボックス９２の開放行為が複雑になっている。したがって、基板ボックス９２の不正開放行為を手間取らせることができるため、当該不正行為を好適に抑制することができる。また、基板ボックス９２の不正開放が行われたとしても、その際には基板ボックス９２又は痕跡カバー部材１９１の少なくとも一方には、破壊された箇所が存在することとなるため、不正な開放行為を容易に発見することができる。
【０１１９】
ここで、第１固定部１３１から分離された状態では、表側構成体１０１及び裏側構成体１０２が浮き上がり易く、表側構成体１０１と裏側構成体１０２との間の隙間が形成されやすい状態となっている。これに対して、表側構成体１０１及び裏側構成体１０２が表面カバー部１９３と裏面カバー部１９４とによって挟持されているため、表側構成体１０１及び裏側構成体１０２において、一方に対して他方の浮き上がりが抑制されている。これにより、表側構成体１０１及び裏側構成体１０２の間に隙間が形成されにくい。よって、当該隙間からの不正行為を抑制することができる。
【０１２０】
裏面カバー部１９４は、図１８（ｂ）に示すように、各裏側結合部１４２、１５２の形状に応じた形状になっている。具体的には、各裏側結合部１４２、１５２はベース部１８０から各表側結合部１４１、１５１とは反対方向に突出しており、裏面カバー部１９４は、ベース部１８０から突出している各裏側結合部１４２、１５２の外周に沿って形成されている。これにより、痕跡カバー部材１９１を基板ボックス９２の長辺方向及び短辺方向に移動させようとした場合に、裏面カバー部１９４において、各裏側結合部１４２、１５２と当接する面積が大きくなる。これにより、当該移動をより好適に規制することができる。
【０１２１】
側面カバー部１９５は、図１９に示すように、裏側囲み壁部１８２の一部である返し壁部１８７を含めて、裏側囲み壁部１８２及び表側囲み壁部１８３の外側を覆うように、かつ各壁部１８２、１８３に沿って形成されている。側面カバー部１９５は、各壁部１８２、１８３の外側の面と、側面カバー部１９５の内側の面とが当接するように形成されている。これにより、各壁部１８２、１８３は、側面カバー部１９５によって、隙間を形成することなく外側から覆われている。よって、隙間からの不正治具の挿入を抑制することができる。
【０１２２】
特に、返し壁部１８７及び表側囲み壁部１８３の隙間が側面カバー部１９５によって覆われている。これにより、当該隙間からの不正治具の挿入が困難になっているため、当該不正行為を好適に抑制することができる。
【０１２３】
側面カバー部１９５は、図１６に示すように、裏側規定壁部１７２に当接するように形成されている。これにより、痕跡カバー部材１９１とこれらの壁部との間に隙間が発生しにくいため、当該隙間からの不正治具の侵入を抑制することができる。
【０１２４】
次に、基板ボックス９２への痕跡カバー部材１９１の固定について説明する。
【０１２５】
上述の通り痕跡カバー部材１９１は囲み部１７９の全周を囲むように形成されている。そして、痕跡カバー部材１９１には、フック部１１１と係止受け１２１との係止状態を解除する方向に囲み部１７９が挿通可能な開口部１９２が形成されている。これにより、痕跡カバー部材１９１は、開口部１９２を介して基板ボックス９２に取り付けられるため、痕跡カバー部材１９１の取り付け方向及び取り外し方向は一方向に規定されている。そして、かかる状態において、固定具としての取付ピン２０２が挿入されることによって取り外し方向への移動が規制される。これにより、基板ボックス９２に対する痕跡カバー部材１９１の固定が実現されている。
【０１２６】
取付ピン２０２の挿入について説明する。表面カバー部１９３には、図１７（ｂ）等に示すように、２つの貫通孔２０１が形成されている。貫通孔２０１は、第２表側結合部１５１の貫通孔１５３の孔径と略同一であり、表裏方向に貫通している。痕跡カバー部材１９１が基板ボックス９２に対して装着されている状態では、図２０に示すように、貫通孔２０１と貫通孔１５３とが連通している。これら貫通孔１５３、２０１に対して取付ピン２０２が挿入されている。
【０１２７】
取付ピン２０２は、結合ピン１５５と同様にピン本体２０３、頭部２０４、係止爪部２０５及び段差面２０６を有している。ピン本体２０３は、痕跡カバー部材１９１の貫通孔２０１に対して挿入できる程度の大きさを有している。ピン本体２０３が連通された貫通孔２０１、１５３及び凹部１５４に対して挿入されている状態下では、痕跡カバー部材１９１を取り外し方向に移動させようとしても、痕跡カバー部材１９１と取付ピン２０２とが当接することによって当該移動が規制されている。具体的には、貫通孔２０１の内周面とピン本体２０３とが当接する。これにより、痕跡カバー部材１９１の取り外し方向の移動は規制されている。よって、痕跡カバー部材１９１は、基板ボックス９２に対して離脱不可又は離脱困難な状態で取り付けられている。かかる状態では、表側構成体１０１及び裏側構成体１０２のスライド移動も取付ピン２０２によって規制されている。つまり、取付ピン２０２が挿入されることによって、痕跡カバー部材１９１が基板ボックス９２に対して取り付けられているとともに、表側構成体１０１及び裏側構成体１０２が相互に結合されている。換言すれば、第２固定部１３２が痕跡カバー部材１９１を基板ボックス９２に取り付ける取付部として兼用されている。これにより、構成の簡素化を図るとともに、表側構成体１０１及び裏側構成体１０２をより強固に結合することができる。
【０１２８】
かかる状態において、係止爪部２０５が第２表側結合部１５１に対して係止されている。具体的には、係止爪部２０５は、ピン本体２０３の外周面から外側に突出して形成されており、さらに頭部２０４側に向けて突出量が大きくなるように形成されている。そして、係止爪部２０５の頭部２０４側の面が第２表側結合部１５１に係止されている。これにより、係止爪部２０５は取付ピン２０２を引き抜くことが抑制されている。
【０１２９】
なお、係止爪部２０５が貫通孔２０１等を通過できるように、係止爪部２０５の周囲には、頭部２０４に対して反対側の端部を除いて切欠が形成されているため、係止爪部２０５において頭部２０４に対して反対側の端部が固定端となり、頭部２０４側の端部が自由端となっている。これにより、係止爪部２０５を押圧することにより、係止爪部２０５をピン本体２０３の内側に没入させることができるようになっている。
【０１３０】
取付ピン２０２は、頭部２０４が痕跡カバー部材１９１と当接するように形成されている。具体的には、頭部２０４は、貫通孔２０１を通過できないように貫通孔２０１の外径よりも大きく形成されている。これにより、頭部２０４と貫通孔２０１との間には、環状の段差面２０６が形成されている。そして、結合ピン１５５における段差面１６１から係止爪部１５８の頭部１５７側の端部までの長さ寸法Ｙａ１（図１９参照）に対して、取付ピン２０２における段差面２０６から係止爪部２０５の頭部２０４側の端部までの長さ寸法Ｙｂ１は、表面カバー部１９３の厚さ寸法及び第２表側結合部１５１の頭収容部１６３の高さ寸法を合わせた寸法Ｙｃ分だけ大きく設定されている。そして、結合ピン１５５におけるピン本体１５６の軸線方向の長さ寸法Ｙａ２（図１９参照）に対して、取付ピン２０２におけるピン本体２０３の軸線方向の長さ寸法Ｙｂ２は、表面カバー部１９３の厚さ寸法及び第２表側結合部１５１の頭収容部１６３の高さ寸法を合わせた寸法Ｙｃ分だけ大きく設定されている。これにより、係止爪部２０５が第２表側結合部１５１に対して係止されている状態において、段差面２０６と貫通孔２０１の周縁に設けられている環状のピン受け面２０７とが当接している。これにより、痕跡カバー部材１９１及び表側構成体１０１は、頭部２０４と係止爪部２０５とによって挟持されている。よって、基板ボックス９２に対する痕跡カバー部材１９１の浮き上がりが抑制されている。
【０１３１】
ピン受け面２０７の周縁には、図１８（ａ）及び図２０に示すように、頭部２０４を収容する頭収容部２０８が設けられている。頭収容部２０８は円筒形状であり、貫通孔２０１と同一軸線上に形成されている。頭収容部２０８は取付ピン２０２の頭部２０４の形状に対応させて形成されている。具体的には、頭収容部２０８の内径は頭部２０４の外径に合わせて設定されているとともに、取付ピン２０２の頭部２０４を収容できるように頭部２０４の高さ分だけ表面カバー部１９３から突出して形成されている。これにより、ピン受け面２０７と、取付ピン２０２の段差面２０６とが当接している状態において、頭部２０４は頭収容部２０８に収容されている。これにより、頭部２０４が掴まれにくいため、頭部２０４を掴んで引き抜く不正行為を抑制することができる。
【０１３２】
取付ピン２０２の頭部２０４には、図１８（ａ）に示すように、取付ピン２０２の係止爪部２０５の向きを所定の方向に規定する位置決め部として切欠部２１１が設けられており、切欠部２１１に対応して、表面カバー部１９３の頭収容部２０８の内周側には突起部２１２が設けられている。突起部２１２は、切欠部２１１の形状に合わせて頭収容部２０８の内周面から内側に突出している。これにより、取付ピン２０２を頭収容部２０８に対して挿入する場合には、切欠部２１１を突起部２１２に合わせて挿入するため、第２表側結合部１５１に対する取付ピン２０２の向きが一意的に定まる。よって、取付ピン２０２に設けられている係止爪部２０５の向きが所定の方向に定まる。かかる場合、２つの係止爪部２０５のうち、一方の係止爪部２０５が膨出部１０４側に配置されるようになっている。したがって、仮に表側囲み壁部１８３側から不正治具を用いて侵入された場合であっても、膨出部１０４側に配置されている係止爪部２０５の係止状態は解除されにくいため、係止状態の不正解除を抑制することができる。
【０１３３】
なお、突起部２１２及び切欠部２１１の形状は、一意的に取付ピン２０２の位置が定まればよく、その形状は任意である。また、頭部２０４に突起部を設け、頭収容部２０８に切欠部を設ける構成としてもよい。また、係止爪部２０５が複数設けられている場合には、複数の係止爪部２０５のうち少なくとも一方が膨出部１０４側に配置されるようにするとよい。
【０１３４】
側面カバー部１９５には、図１７に示すように、痕跡カバー部材１９１を基板ボックス９２に対して取り付ける際に使用する取付ピン２０２を収納しておく取付ピン収容部２２１が設けられている。取付ピン収容部２２１は、側面カバー部１９５と一体形成されている板部２２２と、当該板部２２２に設けられ、円筒形状をした円筒部２２３と、を備えている。円筒部２２３の内周面２２４は、取付ピン２０２のピン本体２０３の外径と同程度であって、取付ピン２０２の頭部２０４の外径よりは小さく形成されている。そして、円筒部２２３の高さは、取付ピン２０２の段差面２０６から係止爪部２０５の頭部２０４側の端面までの距離と同程度となっている。円筒部２２３に対して取付ピン２０２を差し込むことによって、取付ピン２０２が円筒部２２３に収容される。具体的には、取付ピン２０２を円筒部２２３に挿入すると、係止爪部２０５が内側に弾性変形し、取付ピン２０２の段差面２０６が円筒部２２３の上端部２２５と当接するまで取付ピン収容部２２１に対して差し込まれる。ここで、円筒部２２３の高さは、取付ピン２０２の段差面２０６から係止爪部２０５の頭部２０４側の端面までの距離と同程度となっているため、取付ピン２０２の段差面２０６が取付ピン収容部２２１と当接した状態においては、係止爪部２０５は取付ピン収容部２２１から突出している。よって、係止爪部２０５は起き上がる。すると、係止爪部２０５が取付ピン収容部２２１の下端部２２６に対して引っ掛かる。これにより、取付ピン２０２が取付ピン収容部２２１から抜け落ちないようになっている。なお、使用する際には、取付ピン２０２の係止爪部２０５を工具などによって押して弾性変形させることによって、容易に取り外すことができる。
【０１３５】
＜２回目の固定について＞
次に、２回目の固定処理をする場合の作業の流れを、図２１を用いて説明する。図２１は、２度目の固定処理をする場合の作業の流れを説明するための説明図である。
【０１３６】
２回目の固定処理では、複数の第２固定部１３２のうち、最初の固定の際に使用していない第２固定部１３２を使用し、表側構成体１０１と裏側構成体１０２とを再度固定状態とするとともに、痕跡カバー部材１９１を基板ボックス９２に対して離脱不可又は離脱困難な状態で固定する。
【０１３７】
まず、図２１（ａ）に示すように、表側構成体１０１と裏側構成体１０２とを固定する。具体的には、先の開放作業において、第２表側結合部１５１とともに取り外された結合ピン１５５を、未使用の第２固定部１３２における第２表側結合部１５１の貫通孔１５３に対して挿入する。これにより、結合ピン１５５と第２表側結合部１５１とが係止状態となり、表側構成体１０１と裏側構成体１０２とが固定状態になる。
【０１３８】
次に、図２１（ｂ）に示すように、痕跡カバー部材１９１を囲み部１７９に嵌め込む。詳細には、痕跡カバー部材１９１の開口部１９２を囲み部１７９に合わせながら、痕跡カバー部材１９１を取り付け方向に移動させる。かかる場合、側面カバー部１９５のスライド方向に延びた部位と囲み壁部１８１のスライド方向に延びた部位との当接によって所定の位置に誘導され、表側規定壁部１７１及び裏側規定壁部１７２に対して当接することによって所定の位置に規定される。これにより、基板ボックス９２に対する痕跡カバー部材１９１の取り付け位置が一意的に決まっている。つまり、痕跡カバー部材１９１は、自身を基板ボックス９２の所定の位置に誘導するためのガイド部を有している。
【０１３９】
そして、痕跡カバー部材１９１が基板ボックス９２に対して装着された状態では、痕跡カバー部材１９１の貫通孔２０１と、第２表側結合部１５１の貫通孔１５３とが連通している。そして、取付ピン２０２の切欠部２１１を、突起部２１２に合わせながら、これら貫通孔１５３、２０１に対して取付ピン２０２を差し込む。当該取付ピン２０２は、取付ピン収容部２２１に収容されていたものである。すると、取付ピン２０２が第２表側結合部１５１に対して係止される。これにより、第２表側結合部１５１と表面カバー部１９３とが取付ピン２０２の頭部２０４と係止爪部２０５によって挟持されているとともに、痕跡カバー部材１９１のスライド移動が取付ピン２０２によって規制されているため、痕跡カバー部材１９１が基板ボックス９２に対して離脱不可又は離脱困難な状態で固定される。
【０１４０】
次に、パチンコ機１０の電気的構成について、図２２のブロック図に基づいて説明する。図２２では、電力の供給ラインを二重線矢印で示し、信号ラインを実線矢印で示す。
【０１４１】
主制御装置６３に設けられた主制御基板２３１には、主制御回路２３２と停電監視回路２３３とが内蔵されている。主制御回路２３２には、ＣＰＵチップ２３４が搭載されている。ＣＰＵチップ２３４には、当該ＣＰＵチップ２３４により実行される各種の制御プログラムや固定値データを記憶したＲＯＭ２３５と、そのＲＯＭ２３５内に記憶される制御プログラムの実行に際して各種のデータ等を一時的に記憶するためのメモリであるＲＡＭ２３６と、割込回路やタイマ回路、データ入出力回路などの各種回路が内蔵されている。
【０１４２】
ＣＰＵチップ２３４には、入力ポート及び出力ポートがそれぞれ設けられている。ＣＰＵチップ２３４の入力側には、主制御基板２３１に設けられた停電監視回路２３３、払出制御装置８２の払出制御基板９１及びその他図示しないスイッチ群などが接続されている。この場合に、停電監視回路２３３には電源及び発射制御装置８３に設けられた電源及び発射制御基板２３７が接続されており、ＣＰＵチップ２３４には停電監視回路２３３を介して電力が供給される。
【０１４３】
一方、ＣＰＵチップ２３４の出力側には、停電監視回路２３３、払出制御基板９１及び中継端子板２３８が接続されている。払出制御基板９１には、賞球コマンドなどといった各種コマンドが出力される。中継端子板２３８を介して主制御回路２３２から音声ランプ制御装置６６に設けられた音声ランプ制御基板２３９に対して各種コマンドなどが出力される。
【０１４４】
停電監視回路２３３は、主制御回路２３２と電源及び発射制御基板２３７とを中継し、また電源及び発射制御基板２３７から出力される最大電圧である直流安定２４ボルトの電圧を監視する。
【０１４５】
払出制御基板９１は、払出装置７８により賞球や貸し球の払出制御を行うものである。演算装置であるＣＰＵチップ９３は、そのＣＰＵチップ９３により実行される制御プログラムや固定値データ等を記憶したＲＯＭ２４１と、ワークメモリ等として使用されるＲＡＭ２４２とを備えている。
【０１４６】
払出制御基板９１のＣＰＵチップ９３には、入出力ポートが設けられている。ＣＰＵチップ９３の入力側には、主制御回路２３２、電源及び発射制御基板２３７、及び裏パック基板７９が接続されている。また、ＣＰＵチップ９３の出力側には、主制御回路２３２及び裏パック基板７９が接続されている。
【０１４７】
電源及び発射制御基板２３７は、電源部２４３と発射制御部２４４とを備えている。電源部２４３は、例えば、遊技場等における商用電源（外部電源）に接続されている。そして、その商用電源から供給される外部電力に基づいて主制御回路２３２や払出制御基板９１等に対して各々に必要な動作電力を生成するとともに、その生成した動作電力を二重線矢印で示す経路を通じて主制御回路２３２や払出制御基板９１等に対して供給する。発射制御部２４４は、遊技球発射機構５０の発射制御を担うものであり、遊技球発射機構５０は所定の発射条件が整っている場合に駆動される。
【０１４８】
音声ランプ制御基板２３９は、表示制御装置２４８を制御するものである。演算装置であるＣＰＵチップ２４５は、そのＣＰＵチップ２４５により実行される制御プログラムや固定値データ等を記憶したＲＯＭ２４６と、ワークメモリ等として使用されるＲＡＭ２４７とを備えている。
【０１４９】
音声ランプ制御基板２３９のＣＰＵチップ２４５には入出力ポートが設けられている。ＣＰＵチップ２４５の入力側には中継端子板２３８に中継されて主制御回路２３２が接続されており、主制御回路２３２から出力される各種コマンドに基づいて、表示制御装置２４８を制御する。表示制御装置２４８は、音声ランプ制御基板２３９から入力する表示コマンドに基づいて図柄表示装置４１を制御する。
【０１５０】
以上、詳述した本実施の形態によれば、以下の優れた効果を奏する。
【０１５１】
痕跡カバー部材１９１が基板ボックス９２に取り付けられている。かかる状態において、痕跡箇所としての各連結部１７４、１７５、１８８、１８９及び切断部１９０の切断箇所が、痕跡カバー部材１９１によって覆われている。これにより、切断箇所に対して不正行為を施す行為が行いにくくなっているとともに、当該行為の際には、痕跡カバー部材１９１に痕跡が残存する。これにより、切断箇所に対する不正行為を抑制するとともに、当該不正行為を容易に発見することができる。
【０１５２】
並設された各固定部１３１、１３２を収容する領域を形成する囲み部１７９を設けた。そして、痕跡カバー部材１９１は当該囲み部１７９を覆う構成とした。これにより、切断箇所に対して不正行為を行う場合には、囲み部１７９及び痕跡カバー部材１９１が邪魔になるため、当該不正行為が複雑なものになる。よって、当該不正行為を手間取らせることができる。そして、かかる不正行為の痕跡が痕跡カバー部材１９１に残存することになるため、当該不正行為を容易に発見することができる。
【０１５３】
痕跡カバー部材１９１は囲み部１７９の開口を覆うとともに、痕跡カバー部材１９１と囲み部１７９とによって閉空間が形成される構成とした。これにより、閉空間内に切断箇所が収容される。よって、切断箇所に対する不正行為を抑制することができる。
【０１５４】
具体的には、表面カバー部１９３の内側面１９６が囲み壁部１８１の上端と当接する構成とした。ここで、囲み壁部１８１の上端は同一平面上にあり、さらに内側面１９６は平坦面に形成されているため、痕跡カバー部材１９１と囲み壁部１８１との間に隙間が形成されにくいため、不正治具の挿入などの不正行為を抑制することができる。
【０１５５】
痕跡カバー部材１９１には、囲み部１７９が挿通可能な大きさの開口部１９２が設けられており、当該開口部１９２は、痕跡カバー部材１９１が基板ボックス９２に対して取り付けられている状態において、表側規定壁部１７１、裏側規定壁部１７２、及び膨出規定壁部１８５によって塞がれるように形成されている。これにより、カバー部材１９１と基板ボックス９２の内部空間を規定する壁部とによって閉空間が形成されており、当該閉空間内に囲み部１７９が収容されている。よって、囲み部１７９及び当該囲み部１７９に収容されている各固定部１３１等に対する不正行為を好適に抑制することができる。
【０１５６】
痕跡カバー部材１９１は、取付壁部１７３からスライド方向にオーバーラップして覆う構成とした。これにより、痕跡カバー部材１９１と取付壁部１７３との境界からの不正治具の挿入をより困難になっている。したがって、痕跡カバー部材１９１と取付壁部１７３との間の隙間から不正治具を挿入する不正行為をより好適に抑制することができる。
【０１５７】
痕跡カバー部材１９１は膨出規定壁部１８５に対して当接するように形成されている。これにより、痕跡カバー部材１９１と膨出規定壁部１８５との間の隙間から不正治具を挿入しづらくさせている。よって、当該不正行為をより好適に抑制することができる。
【０１５８】
表側囲み壁部１８３及び裏側囲み壁部１８２を表裏方向に挟むように痕跡カバー部材１９１が配置されている。これにより、裏側囲み壁部１８２に対する表側囲み壁部１８３の浮き上がりが抑制されている。よって、裏側構成体１０２に対する表側構成体１０１の浮き上がりが抑制されている。
【０１５９】
また、複数の固定部１３１、１３２を収容する囲み部１７９を設け、痕跡カバー部材１９１が当該囲み部１７９を覆う構成としたことにより、各固定部１３１、１３２及び切断箇所をそれぞれ覆う構成に比べて、構成の簡素化を図ることができる。さらに、痕跡カバー部材１９１を基板ボックス９２に対して取り付ける前に、未使用の第２固定部１３２による固定を行うことによって、切断箇所だけでなく第２固定部１３２の結合箇所も痕跡カバー部材１９１によって覆われる。よって、結合箇所に対する不正行為を抑制することができる。なお、各固定部１３１、１３２は基板ボックス９２の１の短辺部に並設されているため、それを囲む囲み部１７９及び痕跡カバー部材１９１を小型にすることができる。
【０１６０】
また、痕跡カバー部材１９１には、自身を基板ボックス９２の所定の位置に規定するガイド部が設けられている。具体的には、痕跡カバー部材１９１は、側面カバー部１９５の内側面が囲み壁部１８１の外側面に当接するように、かつ所定の位置にて側面カバー部１９５と裏側規定壁部１７２と当接するように形成されている。これにより、容易に痕跡カバー部材１９１を所定の位置に配置することができる。よって、作業性の向上を図ることができる。
【０１６１】
第２固定部１３２及び表面カバー部１９３に設けられている貫通孔２０１に対して取付ピン２０２を挿通することによって、痕跡カバー部材１９１の取り外し方向への移動が規制される。これにより、表側構成体１０１及び裏側構成体１０２の分離が抑制されるとともに、基板ボックス９２に対して痕跡カバー部材１９１の取り外しが抑制される。つまり、表側構成体１０１及び裏側構成体１０２を固定する第２固定部１３２が痕跡カバー部材１９１を基板ボックス９２に対して取り付けるための固定部として兼用されている。これにより、構成の簡素化を図るとともに、基板ボックス９２をより強固に固定することができる。
【０１６２】
＜第２の実施の形態＞
第１の実施の形態においては、表側構成体１０１及び裏側構成体１０２を固定するために使用した結合ピン１５５と、痕跡カバー部材１９１を基板ボックス９２に対して取り付ける際に使用する取付ピン２０２とが、異なる構成となっていた。具体的には、痕跡カバー部材１９１が囲み部１７９の開口を覆うため、取付ピン２０２におけるピン本体２０３及び係止爪部２０５の位置が、結合ピン１５５と異なっていた。詳細には、段差面２０６から係止爪部２０５の頭部２０４側の端部までの長さ寸法Ｙｂ１及びピン本体２０３の軸線方向の長さ寸法Ｙｂ２は、表面カバー部１９３の厚さ寸法及び第２表側結合部１５１の頭収容部１６３の高さ寸法を合わせた寸法Ｙｃ分だけ、結合ピン１５５よりも大きくなるように設定されていた。これにより、部品点数が増加するため、構成の簡素化、製造コストの観点から好ましくない。また、これらのピンは不正行為に使用されることがあるため、当該ピンの流通の増加は最大限抑制される必要がある。これらの課題に対して、第２固定部１３２に対して挿通される固定具として結合具ユニット３０１が設けられている。
【０１６３】
結合具ユニット３０１について、図２３に基づいて詳細に説明する。図２３（ａ）は、結合具ユニット３０１の平面図、図２３（ｂ）は、Ｆ−Ｆ線断面図である。
【０１６４】
結合具ユニット３０１は、併用ピン３０２と、ストッパ部材３０３と、を備えている。併用ピン３０２については、取付ピン２０２と同一形状であり、取付ピン２０２と同様に、円筒形状のピン本体３０４、ピン本体３０４の基端に設けられた頭部３０５、ピン本体３０４に設けられ、ピン本体３０４の内側に没入可能な係止爪部３０６、ピン本体３０４と頭部３０５との間に形成された段差面３０７、及び係止爪部３０６の向きを規定する切欠部３０８を備えている。これらの形状については、取付ピン２０２と同一なので省略する。
【０１６５】
ストッパ部材３０３は、併用ピン３０２の頭部３０５側に取り付けられている。ストッパ部材３０３は、全体として略円筒形状であり、ピン本体３０４及び頭部３０５と同一軸線上に形成されている。ストッパ部材３０３は、無色透明のポリカーボネート樹脂で形成されているが、ストッパ部材３０３の形成材料はこれに限定されることは無く、アクリル樹脂等であってもよい。
【０１６６】
ストッパ部材３０３が併用ピン３０２に対して取り付けられている状態では、ストッパ部材３０３の外径は、頭部３０５側へ向かって先細り形状になっている。これにより、ストッパ部材３０３が掴まれにくいため、当該不正行為を抑制することができる。
【０１６７】
一方、ストッパ部材３０３の内径は、併用ピン３０２のピン本体３０４の外径と同一又はそれよりも若干大きく設定されている。これにより、ピン本体３０４がストッパ部材３０３に対して挿入可能になっているとともに、ストッパ部材３０３の内周面とピン本体３０４の外周面とが当接するようになっている。これにより、ピン本体３０４の軸線方向と交差する方向へのストッパ部材３０３の移動は規制されている。よって、ストッパ部材３０３の不正な取り外しを抑制することができる。
【０１６８】
ここで、ストッパ部材３０３の内径は頭部３０５の外径よりも小さく設定されている。これにより、頭部３０５とストッパ部材３０３とは当接している。具体的には、段差面３０７と、ストッパ部材３０３の先端側に設けられているピン受け面３０９とが当接している。よって、併用ピン３０２に対するストッパ部材３０３の位置が容易に決まるとともに、ストッパ部材３０３の取り外し方向は併用ピン３０２の先端方向に規定されている。
【０１６９】
ピン受け面３０９は、ストッパ部材３０３の先端から所定の距離だけ基端側に配置されている。具体的には、ストッパ部材３０３には、ストッパ部材３０３が併用ピン３０２に対して取り付けられた状態において、頭部３０５を収容する頭収容部３１０が設けられている。頭収容部３１０は、ストッパ部材３０３の内周面の一部を外側に凹ませることによって形成されている。換言すれば、頭収容部３１０は、ストッパ部材３０３の内周面に対して段差状に拡径されて形成されている。当該段差状になった部位がピン受け面３０９となっている。頭収容部３１０は、頭部３０５を収容できるように形成されている。詳細には、頭収容部３１０の内径は、頭部３０５の外径と同一又はそれよりも若干大きく設定されており、頭収容部３１０の高さは、頭部３０５の高さ、すなわち頭部３０５の軸線方向の寸法に合わせた高さと同程度、又はそれよりも若干大きく設定されている。これにより、ピン受け面３０９は、ストッパ部材３０３の先端から頭部３０５の軸線方向の寸法分だけ基端側にオフセットされた位置に設けられている。併用ピン３０２の段差面３０７と、ストッパ部材３０３のピン受け面３０９とが当接している状態では、頭部３０５は、頭収容部３１０に収容される。これにより、頭部３０５を掴んで引き抜くといった不正行為が抑制されている。
【０１７０】
次に、ストッパ部材３０３を備えた併用ピン３０２による固定を、図２４及び図２５を用いて説明する。図２４は、固定部１３１、１３２の周辺構成を示す拡大図であり、図２５は、図２４におけるＧ−Ｇ線断面図である。
【０１７１】
図２４に示すように、４つの第２固定部１３２のうち、２つの第２固定部１３２に結合具ユニット３０１が取り付けられている。具体的には、２つの第２固定部１３２の第２表側結合部１５１に結合具ユニット３０１が挿入され、係止されている。ここで、ストッパ部材３０３において基端部の外径は第２表側結合部１５１の外径と同程度になっている。また、ストッパ部材３０３の基端側の端面である基端面３１１からピン受け面３０９までの距離は、痕跡カバー部材１９１の厚さ寸法とほぼ同一に設定されている。これにより、結合具ユニット３０１が第２表側結合部１５１に挿入されている状態では、基端面３１１が第２表側結合部１５１の頭収容部１６３の周縁に当接している。よって、第２固定部１３２に対する結合具ユニット３０１の位置が一意的に決まる。したがって、位置合わせを容易に行うことができるとともに、結合具ユニット３０１がそれ以上第２固定部１３２に対して入り込まないように規制されている。
【０１７２】
また、併用ピン３０２の係止爪部３０６が第２表側結合部１５１に対して係止されている状態下では、ストッパ部材３０３と第２表側結合部１５１とが当接しているため、第２表側結合部１５１はストッパ部材３０３と係止爪部３０６とによって挟まれている。これにより、第２表側結合部１５１は遊びのない状態で固定されている。よって、裏側構成体１０２に対して表側構成体１０１が浮き上がりにくくなっている。したがって、表側構成体１０１及び裏側構成体１０２の間の隙間が形成されにくいため、当該隙間から不正治具を挿入させるといった不正行為を抑制することができる。
【０１７３】
さらに、かかる状態では、第２表側結合部１５１から突出しているピン本体３０４の部位はストッパ部材３０３によって覆われているため、ピン本体３０４に対する不正行為がストッパ部材３０３によって抑制される。これにより、当該不正行為を抑制することができる。
【０１７４】
なお、ストッパ部材３０３のスライド方向の移動は、併用ピン３０２との当接によって規制されているとともに、ストッパ部材３０３の表側への移動は、頭部３０５との当接によって規制されている。これにより、ストッパ部材３０３を取り外すことが困難になっている。よって、ストッパ部材３０３の不正な取り外しを抑制することができる。
【０１７５】
ストッパ部材３０３には、基端面３１１から係止爪部３０６に向けて突出した突出部３１２が設けられている。突出部３１２は全体として円筒形状をしており、併用ピン３０２及び第２表側結合部１５１の頭収容部１６３の形状に合わせて形成されている。具体的には、突出部３１２の内径はピン本体３０４の外径と同程度又は若干大きめに設定されている。突出部３１２の外径は第２表側結合部１５１の頭収容部１６３の外径とほぼ同一となっており、突出部３１２のストッパ部材３０３の基端面３１１からの突出寸法は、第２表側結合部１５１の頭収容部１６３の高さとほぼ同一に設定されている。つまり、突出部３１２の突出寸法と基端面３１１からピン受け面３０９までの距離の和が、表面カバー部１９３の厚さ寸法及び頭収容部１６３の高さ寸法を合わせた寸法Ｙｃとなっている。突出部３１２は、頭収容部１６３に隙間無く収容されている。これにより、ストッパ部材３０３の基端面３１１と第２表側結合部１５１との間から不正治具を挿入した場合であっても、当該不正治具は突出部３１２に当たる。つまり、突出部３１２は、不正治具の侵入を抑制する返し部としての機能を有している。したがって、ストッパ部材３０３の基端面３１１と第２表側結合部１５１との間から不正治具を挿入する不正行為を抑制することができる。
【０１７６】
ここで、ストッパ部材３０３は上記のとおり合成樹脂材料により形成されており、弾性変形可能となっている。併用ピン３０２が固定される際にストッパ部材３０３が弾性変形を伴う場合、併用ピン３０２及び第２表側結合部１５１には、それぞれストッパ部材３０３の弾性変形による反発力が加えられている。すると、ストッパ部材３０３及び第２表側結合部１５１間に隙間が形成されにくいとともに、ストッパ部材３０３及び併用ピン３０２間にも隙間が形成されにくい。これにより、隙間から治具を差し込む等の不正行為を抑制することができる。
【０１７７】
ここで、開放作業に関しては、第１の実施の形態の場合と同様に、結合具ユニット３０１が取り付けられている第２固定部１３２における第２連結部１７５及び第４連結部１８８を破壊することによって、結合具ユニット３０１ごと第２表側結合部１５１が表側構成体１０１から分離される。分離された結合具ユニット３０１と第２表側結合部１５１とは、係止爪部３０６を内側に没入させることによって破壊することなく分離される。さらに、かかる状態における結合具ユニット３０１は、併用ピン３０２と、ストッパ部材３０３とに分離することができる。具体的には、係止爪部３０６を内側に弾性変形させながら、ストッパ部材３０３をピン本体３０４の係止爪部３０６が設けられている方向に沿ってスライド移動させることによって、併用ピン３０２と、ストッパ部材３０３とが分離される。これにより、併用ピン３０２を再度の固定処理に使用することができる。
【０１７８】
次に、２回目の固定における作業の流れを、図２６を用いて説明する。図２６は、２度目の固定における作業の流れを説明するための説明図である。
【０１７９】
２回目の固定では、複数の第２固定部１３２のうち、最初の固定の際に使用していない第２固定部１３２を使用し、表側構成体１０１と裏側構成体１０２とを再度固定とするとともに、痕跡カバー部材１９１を基板ボックス９２に対して離脱不可又は離脱困難な状態で固定する。
【０１８０】
まず、図２６（ａ）に示すように、痕跡カバー部材１９１を基板ボックス９２の一方の短辺部から他方の短辺部への方向へスライドさせて、基板ボックス９２に対して取り付ける。痕跡カバー部材１９１が基板ボックス９２に対して装着された状態では、痕跡カバー部材１９１の貫通孔２０１と、第２表側結合部１５１の貫通孔１５３とが連通している。そして、図２６（ｂ）に示すように、併用ピン３０２の切欠部３０８を、突起部２１２に合わせながら、これら連通した貫通孔２０１、１５３に対して差し込む。当該併用ピン３０２は、先の開放作業において取り外されたものである。すると、併用ピン３０２が第２表側結合部１５１に対して係止される。これにより、表面カバー部１９３が併用ピン３０２の頭部３０５と第２表側結合部１５１とによって挟持されているとともに、痕跡カバー部材１９１のスライド移動が併用ピン３０２によって規制されているため、痕跡カバー部材１９１が基板ボックス９２に対して離脱不可又は離脱困難な状態で固定されている。
【０１８１】
以上、詳述した本実施の形態によれば、以下の優れた効果を奏する。
【０１８２】
第２表側結合部１５１と、第２裏側結合部１５２とに対して結合具ユニット３０１を挿通し、係止爪部３０６が係止受け空間部１５９に係止されることによって、表側構成体１０１と裏側構成体１０２との分離が抑制される。かかる状態において、開放作業の際には、第２連結部１７５及び第４連結部１８８を破壊することで、第２表側結合部１５１は結合具ユニット３０１ごと表側構成体１０１から分離される。この場合、係止爪部３０６を内側に没入させることによって、何ら破壊等がなされずに併用ピン３０２を第２表側結合部１５１から取り外すことができる。
【０１８３】
かかる構成において、併用ピン３０２には、ストッパ部材３０３が着脱自在に取り付けられており、ストッパ部材３０３と第２表側結合部１５１とが当接することによって、係止箇所に対する頭部３０５の位置が規定される。当該規定された位置にて、併用ピン３０２と第２表側結合部１５１とが係止状態となり、表側構成体１０１及び裏側構成体１０２が相互に固定される。そして、再度の固定処理の場合には、ストッパ部材３０３を取り外すことによって、痕跡カバー部材１９１が頭部３０５と係止爪部３０６とによって挟持されるようになっている。これにより、痕跡カバー部材１９１が取り付けられた場合であっても、併用ピン３０２によって第２表側結合部１５１と、第２裏側結合部１５２とが結合されるとともに、痕跡カバー部材１９１が基板ボックス９２に対して離脱不可又は離脱困難な状態で固定される。よって、痕跡カバー部材１９１を基板ボックス９２に対して取り付けるための結合ピンを別途用意する必要が無いため、部材点数の削減を図ることができる。特に、結合ピンの流通を抑制することができるため、結合ピンを使った不正行為を抑制することができる。
【０１８４】
また、上記第１の実施の形態では、痕跡カバー部材１９１を基板ボックス９２に対して取り付ける際に使用する取付ピン２０２を収納しておくための取付ピン収容部２２１が設けられていたが、当該取付ピン収容部２２１を設ける必要が無い。よって、構成の簡素化を図ることができるとともに、スペースの縮小化を図ることができる。
【０１８５】
さらに、ストッパ部材３０３と第２表側結合部１５１とが当接しているため、第２表側結合部１５１はストッパ部材３０３と係止爪部３０６とによって挟まれている。これにより、第２表側結合部１５１が遊びのない状態で固定されているため、裏側構成体１０２に対する表側構成体１０１の浮き上がりが抑制されている。よって、表側構成体１０１と裏側構成体１０２との隙間が形成されにくいため、当該隙間から不正治具を挿入する不正行為を好適に抑制することができる。
【０１８６】
また、ストッパ部材３０３は環状に形成されており、さらにストッパ部材３０３の内周面が併用ピン３０２のピン本体３０４の外周面と当接するように形成されている。そして、ストッパ部材３０３と第２表側結合部１５１とが当接している。これにより、ストッパ部材３０３と第２表側結合部１５１との間に隙間が形成されにくい。よって、ストッパ部材３０３と第２表側結合部１５１との間の隙間から不正治具を挿入する不正行為を抑制することができる。
【０１８７】
さらに、ストッパ部材３０３の頭部３０５側への移動は頭部３０５との当接によって規制されている。ストッパ部材３０３の取り外し方向は一方向に規定されている。そして、併用ピン３０２が第２固定部１３２に取り付けられている状態下では、当該移動が規制されている。これにより、ストッパ部材３０３を取り外すことが困難になっているため、ストッパ部材３０３を取り外して不正行為を行うことが抑制されている。一方、併用ピン３０２が取り外された状態では、工具などにより係止爪部３０６を内側に押圧することによって、ストッパ部材３０３を併用ピン３０２から容易に取り外すことができる。よって、防犯性の向上を図りつつ、作業効率の向上を図ることができる。
【０１８８】
また、ストッパ部材３０３の外周面は、頭部３０５側へ向けて先細り形状となっている。換言すれば、ストッパ部材３０３の外周面は、第２表側結合部１５１との当接箇所である基端面３１１に向かって末広がり形状となっている。これにより、ストッパ部材３０３が掴まれにくい。よって、結合具ユニット３０１を引き抜く等の不正行為を抑制することができる。
【０１８９】
ストッパ部材３０３の基端面３１１には、第２表側結合部１５１に設けられている頭収容部１６３に収容される突出部３１２が設けられている。突出部３１２は、基端面３１１から突出している。これにより、ストッパ部材３０３と第２表側結合部１５１との間から不正治具を挿入させた場合であっても、当該不正治具は突出部３１２に当たる。つまり、突出部３１２は、「返し」としての機能を有している。よって、併用ピン３０２に対する不正行為をより好適に抑制することができる。
【０１９０】
＜他の実施の形態＞
なお、上述した実施の形態の記載内容に限定されず、例えば次のように実施してもよい。ちなみに、以下の別形態の構成を、上記実施の形態における構成に対して、個別に適用してもよく、相互に組み合わせて適用してもよい。
【０１９１】
（１）上記各実施の形態における払出制御装置及び痕跡カバー部材の変形例を図２７〜図２９に示す。図２７は、別の払出制御装置の斜視図であり、図２８は、図２７の払出制御装置に痕跡カバー部材を取り付けた斜視図であり、図２９は、別の払出制御装置と痕跡カバー部材との分解斜視図である。
【０１９２】
図２７に示す払出制御装置４０１は、基板ボックス４０２を備えており、当該基板ボックス４０２内に払出制御基板９１が収容されている。
【０１９３】
基板ボックス４０２は、複数のボックス構成体として、表側構成体（ボックスカバー）４０３と裏側構成体（ボックスベース）４０４とを備えている。表側構成体４０３は、払出制御基板９１において各種素子が搭載される素子搭載面９６と対向する表側壁部４０５及び表側壁部４０５における外周縁全域に設けられ、払出制御基板９１側に起立した表側周縁部４０６を備えている。また、裏側構成体４０４は、裏側構成体１０２と同様に、払出制御基板９１の半田面と対向する平面部及び平面部における外周縁全域に設けられ、払出制御基板９１側に起立した裏側周縁部４０７を備えている。表側周縁部４０６と裏側周縁部４０７とは、一部が重なり合うように形成されており、当該重なり合う部位に接着剤が塗布されている。これにより、両構成体が相互に固定されている。
【０１９４】
なお、接着剤としては、表側構成体４０３と裏側構成体４０４とを固定することができるのであれば周知の接着剤を用いることができ、例えば、アクリル樹脂系接着剤、ウレタン樹脂系接着剤、エチレン―酢酸ビニル樹脂系接着剤、エポキシ樹脂系接着剤、シリコーン系接着剤などを用いてもよく、それら接着剤は、反応系、溶液系、水分散系、固形系のいずれであってもよい。また、重なり合う部位を溶接によって固定してもよい。
【０１９５】
ここで、基板ボックス４０２には、基板ボックス４０２の開放を容易に行うための開放容易化構造が設けられている。具体的には、表側構成体４０３の表側壁部４０５には、当該表側壁部４０５の所定の領域を区画するようにしてボックス側切断部（ボックス側の脆弱部）４０８が形成されている。ボックス側切断部４０８は、表側壁部４０５を基板ボックス４０２の内外に貫通するようにして形成された多数（又は複数）の貫通孔４０９により構成されている。
【０１９６】
詳細には、多数の貫通孔４０９は表側壁部４０５の周縁に沿って等間隔で形成されており、当該多数の貫通孔４０９は表側壁部４０５の所定の領域を囲むようにして並んでいる。
【０１９７】
隣り合う貫通孔４０９間の間隔は、ニッパやカッタなどによる工具により、隣り合う貫通孔４０９間の領域を容易に切断可能なように設定されている。具体的には貫通孔４０９間の間隔寸法は、貫通孔４０９の長手方向における長さ寸法よりも小さく設定されている。これにより、ボックス側切断部４０８は表側壁部４０５において他の部位に比べ脆弱な領域となっている。
【０１９８】
ボックス側切断部４０８を全周に亘って切断することにより、図２９に示すように、ボックス側切断部４０８により区画されていた領域（以下、ボックス側除去領域４１０ともいう）を表側構成体４０３から除去することが可能となり、除去することで基板ボックス４０２の内部空間を開放させることが可能となる。この場合、ボックス側除去領域４１０はその全体が表側構成体４０３から分離され、当該表側構成体４０３には矩形状、具体的には長方形状の開口４１１が形成される。これにより、ＣＰＵチップ９３の検査を行うことができる。
【０１９９】
当該検査終了後の基板ボックス４０２には、図２８に示すように、当該基板ボックス４０２の開口４１１を覆う痕跡カバー部材４１２が取り付けられている。痕跡カバー部材４１２は、表側構成体４０３と同様に、裏側構成体４０４に向けて開口した略箱状をなしており、表側構成体４０３の周縁を覆う大きさを有している。具体的には、表側周縁部４０６の外周面に合わせて痕跡カバー部材４１２の内周面が形成されている。これにより、痕跡カバー部材４１２を基板ボックス４０２に取り付けた状態では、開口４１１は痕跡カバー部材４１２により覆われている。よって、開口４１１に対する不正行為を抑制することができる。さらに、痕跡カバー部材４１２の内周面と表側構成体４０３とが当接しているため、基板ボックス４０２と痕跡カバー部材４１２とによって閉空間が形成されており、当該閉空間内にＣＰＵチップ９３が収容されている。よって、ＣＰＵチップ９３に対する不正行為を抑制することができる。
【０２００】
かかる状態で、痕跡カバー部材４１２は、基板ボックス４０２に対して固定されている。具体的には、痕跡カバー部材４１２には複数の取付部４１３が設けられている。取付部４１３は有底円筒形状をなしており、底部には貫通孔が設けられている。当該貫通孔に対応して、基板ボックス４０２には、ボス４１４が設けられている。痕跡カバー部材４１２が基板ボックス４０２に取り付けられた場合に、ボス４１４と取付部４１３とは表裏方向に重なり合っている。そのボス４１４に対して破断ネジ４１５がねじ込まれ、螺着されることによって、痕跡カバー部材４１２が基板ボックス４０２に対して固定される。したがって、痕跡カバー部材４１２を不正に取り外し、開口４１１又は開口４１１を介してＣＰＵチップ９３に対して不正行為を施す行為を抑制することができる。
【０２０１】
このように、痕跡箇所が広範囲に亘って形成される基板ボックスに対しては、痕跡カバー部材は痕跡箇所に対応して大きく形成される。要は、痕跡カバー部材は、痕跡箇所を覆うことができるように形成されていればよく、対象となる痕跡の種類、痕跡の形状、痕跡箇所の位置、痕跡の大きさ等は任意である。また、痕跡カバー部材は、少なくとも痕跡箇所を覆えばよく、表側構成体全体を覆う構成としてもよい。さらに、固定部を分散して配置し、それぞれの固定部の痕跡箇所に対応して、それぞれ痕跡カバー部材を取り付ける構成としてもよい。但し、痕跡カバー部材の部材点数の削減、痕跡カバー部材の小型化及びスペース確保の観点から痕跡箇所は一部に集中している方が好ましい。
【０２０２】
なお、ボックス側除去領域４１０及び表側構成体４０３並びに裏側構成体４０４によって、払出制御基板９１を収容可能な内部空間が形成されている点に着目すれば、ボックス側除去領域４１０を「第１構成体」と称するとともに、表側構成体４０３並びに裏側構成体４０４を「第２構成体」と称することも可能である。
【０２０３】
また、ボックス側除去領域４１０と表側構成体４０３とがボックス側切断部４０８を介して固定されている点に着目すれば、ボックス側切断部４０８を「固定手段」又は「固定箇所」と称することも可能である。この場合、固定手段であるボックス側切断部４０８を破壊（切断）することによって当該固定状態が解除されて、ボックス側除去領域４１０が分離され、その痕跡が残存することとなる。
【０２０４】
（２）上記第１の実施の形態では、痕跡カバー部材１９１は、透明性の樹脂で形成される構成としたが、これに限られない。例えば、痕跡箇所に封印シールを、当該封印シールを剥がすことが困難な状態で貼り付ける構成としてもよい。かかる場合、使用する封印シールは、例えばポリエステル系フィルムなどの可撓性樹脂フィルムであって、適度な脆弱性を有し、さらに溶剤や熱に対して反応性を有するものとすると好ましい。これにより、封印シールを不正に剥がそうとして溶剤がかけられたり、熱が加えられたりした場合、封印シールが変色することで当該不正行為の痕跡を残すことができる。
【０２０５】
（３）上記第１の実施の形態では、痕跡カバー部材１９１は第２固定部１３２によって、基板ボックス９２に対して固定される構成としたが、これに代えて、痕跡カバー部材１９１を基板ボックス９２に対して固定する専用の固定部を設けてもよい。また、接着剤を用いて痕跡カバー部材１９１を基板ボックス９２に対して固定する構成としてもよい。但し、構成の簡素化、作業の容易性の観点から上記実施の形態のほうが優れている。
【０２０６】
また、痕跡カバー部材１９１の固定を取付ピン２０２によって行う構成としたが、これに限定されず、破断ネジによって行われる構成としてもよい。かかる場合、再度の固定処理のために、第２固定部１３２に代えて、第１固定部１３１を複数設けるとともに、別途破断ネジを保管する構成とするのが好ましい。また、これらを用いた固定に限られず、接着剤等を用いた固定でもよい。但し、取付ピン２０２を使用した固定処理の方が、破断ネジを使用する固定処理よりも、作業の容易性及び部材点数の観点において優れている。
【０２０７】
なお、痕跡カバー部材１９１を基板ボックス９２に対して固定する固定部としては、第１固定部１３１及び第２固定部１３２等の、固定状態を解除する場合に所定の痕跡が残存する固定部に限られず、基板ボックス９２に対して痕跡カバー部材１９１を固定するものであれば任意である。
【０２０８】
また、各固定部１３１、１３２を固定する構成としては、接着剤の他に、超音波や熱を用いて対応する各結合部を固着して一体化する構成が考えられる。これらの場合、各連結部１７４、１７５の強度を、接着剤による接着強度や、固着の強度よりも低くするとよい。
【０２０９】
（４）上記各実施の形態では、囲み壁部１８１の上端が規定する平面が平坦であるとともに、表面カバー部１９３の内側面１９６が平坦に形成されている構成としたが、これに限られず、一方の面が凹凸面であってもよい。かかる場合、当該凹凸に対応させてもう一方も凹凸にするとよい。要は、一方の面の形状に合わせて他方の面の形状を形成すればよい。
【０２１０】
（５）上記各実施の形態では、裏面カバー部１９４は、ベース部１８０と当接するように、かつベース部１８０から一部突出している各裏側結合部１４２、１５２の形状に合わせて形成する構成としたが、これに限られず、例えばベース部１８０の端部のみと当接する構成としてもよい。要は、ベース部１８０の少なくとも一部と当接するように形成されていれば良い。但し、本実施の形態のように、ベース部１８０と当接する面積を多く取るようにした方が、表側構成体１０１及び裏側構成体１０２の相対移動を規制する観点から優れている。
【０２１１】
また、ベース部１８０に当接する構成に代えて、各裏側結合部１４２、１５２の底部を覆う構成としても良い。但し、ベース部１８０と裏面カバー部１９４とが当接する構成の方が、ベース部１８０と裏面カバー部１９４との間に隙間が形成されにくいため、不正治具が挿入されにくい。よって、ベース部１８０と裏面カバー部１９４とが当接する構成の方が防犯性の観点から優れている。
【０２１２】
（６）上記各実施の形態では、表側囲み壁部１８３及び取付壁部１７３に対して第２表側結合部１５１を連結する連結部を設ける構成としたが、これに限られない。例えば、表側囲み壁部１８３に、当該表側囲み壁部１８３を複数の領域に区画するようにして切断部を形成する構成としてもよい。
【０２１３】
また、切断部１９０は、複数の貫通孔を並設することにより形成される構成としたが、これに限られず、周囲に比べ肉薄な部分に形成してもよく、周囲に比べ弱い材料により形成してもよい。
【０２１４】
（７）上記第１の実施の形態では、側面カバー部１９５に取付ピン収容部２２１を設ける構成としたが、これに限られない。例えば、表面カバー部１９３に取付ピン収容部２２１を設ける構成としてもよい。但し、側面カバー部１９５に設ける構成の方が、表面カバー部１９３に設ける構成に比べて、結合箇所及び痕跡箇所が見易い点で優れている。
【０２１５】
（８）上記第２の実施の形態では、ストッパ部材３０３を取り付ける構成としたが、これに代えて、第２裏側結合部１５２の凹部１５４を表面カバー部１９３の厚さ寸法及び頭収容部１６３の高さ寸法を合わせた寸法Ｙｃ分だけ、さらに凹ませるとともに、併用ピン３０２のピン本体３０４において、係止爪部３０６に対して表面カバー部１９３の厚さ寸法及び頭収容部１６３の高さ寸法を合わせた寸法Ｙｃ分だけ頭部３０５側の位置に、さらに係止爪部を設ける構成としてもよい。かかる構成によれば、痕跡カバー部材１９１が取り付けられていない状態での固定の場合、頭部３０５側の係止爪部と第２表側結合部１５１とが係止状態となることによって、頭部３０５が第２表側結合部１５１の頭収容部１６３に収容されている状態で併用ピン３０２が固定されている。よって、表側構成体１０１及び裏側構成体１０２の固定を強固なものとするとともに、併用ピン３０２に対する不正行為を抑制することができる。
【０２１６】
一方、併用ピン３０２から第２表側結合部１５１を取り外す際には、それぞれの係止爪部を工具などによって弾性変形させればよい。よって、取り外し作業を容易に行うことができる。但し、かかる構成は、第２裏側結合部１５２の形状を変化させる必要がある。
【０２１７】
また、最初の固定処理において使用する第２固定部と、再度の固定処理において使用する第２固定部とが異なる構成となっていてもよい。かかる場合、再度の固定処理において使用する第２固定部における係止受け空間部の位置を、最初の固定処理において使用する第２固定部における係止受け空間部の位置よりも痕跡カバー部材１９１によって頭部３０５の位置が変動する分だけ併用ピン３０２の差込口側に配置するとよい。かかる場合、それぞれの第２固定部において併用ピン３０２が係止状態となる係止位置が、痕跡カバー部材１９１によって頭部３０５の位置が変動する分だけ異なっている。よって、併用ピン３０２に対して特に新たな加工をすることなく、同一のピンで最初の固定処理及び再度の固定処理を行うことができる。
【０２１８】
なお、同一の第２固定部において係止受け空間部を２つ設ける構成としてもよい。
【０２１９】
（９）上記第２の実施の形態では、ストッパ部材３０３の外周面は、頭部３０５側へ向けて先細り形状となっていたが、これに限られない。例えば、曲面状でもよいし、テーパ状でもよい。要は、ストッパ部材３０３が第２表側結合部１５１に対して回転したとしても、ストッパ部材３０３が第２表側結合部１５１の頭収容部１６３全体を覆っていればよい。但し、先細り形状又はテーパ形状の方が長方形状等と比較して、掴みにくいため、不正行為の抑制の観点から優れている。
【０２２０】
（１０）上記各実施の形態では、痕跡カバー部材１９１は、表面カバー部１９３、裏面カバー部１９４及び側面カバー部１９５を備える構成としたが、これに限られない。例えば、痕跡カバー部材１９１は表面カバー部１９３のみを有する構成としてもよい。かかる構成によれば、取付作業が容易である一方、表面カバー部１９３と囲み部１７９とによって閉空間が形成され、当該閉空間内に結合箇所及び開放履歴としての各連結部１７４、１７５、１８８、１８９が収容されるため、結合ピン１５５及び痕跡箇所に対する不正行為を抑制することができる。但し、痕跡カバー部材１９１が囲み壁部１８１における所定の方向以外の方向を覆う構成の方が、表面カバー部１９３のみの場合と比較して、防犯性の観点において優れている。
【０２２１】
（１１）上記各実施の形態では、痕跡カバー部材１９１の頭収容部２０８は、表面カバー部１９３から突出させて形成したが、これに限られず、表面カバー部１９３から凹ませることによって形成してもよい。
【０２２２】
（１２）上記各実施の形態では、各固定部１３１、１３２を収容する領域を区画形成する囲み部１７９を設ける構成としたが、これに限られず、囲み部１７９を設けない構成としてもよい。この場合、各固定部１３１、１３２のうち既に使用された固定部に対して、当該固定部の切断箇所を囲む痕跡カバー部材を設ける構成としてもよい。
【０２２３】
（１３）上記各実施の形態では、基板ボックス９２を形成するボックス構成体の数は複数であれば任意であり、４個以上のボックス構成体を組み合わせることにより、基板ボックス９２が形成される構成としてもよい。この場合に、払出制御基板９１と表側構成体１０１との間に両者の空間を遮るように別のボックス構成体が設けられていてもよく、払出制御基板９１と裏側構成体１０２との間に両者の空間を遮るように別のボックス構成体が設けられていてもよい。
【０２２４】
（１４）上記実施の形態において、払出制御装置８２の基板ボックス９２に適用した構成を、主制御装置６３、音声ランプ制御装置６６、電源及び発射制御装置８３といった他の制御装置に対して適用してもよい。
【０２２５】
（１５）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも本発明を適用できる。
【０２２６】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０２２７】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０２２８】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０２２９】
特徴Ａ１．第１構成体（表側構成体１０１）及び第２構成体（裏側構成体１０２）を含む複数のボックス構成体により形成された基板ボックス（基板ボックス９２）を有するとともに、当該基板ボックス内に収容された制御基板（払出制御基板９１）を有する制御基板装置と、
固定具（併用ピン３０２）が前記第１構成体及び前記第２構成体に跨るように挿通されて係止されることによって、前記第１構成体と前記第２構成体との分離を規制するようにこれら両構成体を固定するとともに、破壊又は除去により前記第１構成体及び前記第２構成の固定状態が解除された場合には所定の痕跡を残存させる複数の固定手段と、
を備えた遊技機において、
前記固定具は、
前記複数の固定手段のうち１の固定手段に挿通される挿通部（ピン本体３０４）と、
前記挿通部の基端側に設けられ、前記挿通部が前記第１構成体及び前記第２構成体に跨る状態において、前記固定手段と当接する頭部（頭部３０５）と、
前記挿通部の前記頭部より先端側に設けられ、前記頭部が前記固定手段と当接している状態において、前記固定手段に対して係止する係止部（係止爪部３０６）と、
を備え、
前記係止部及び前記固定手段の係止箇所と、前記頭部との間隔を調整する間隔調整手段（ストッパ部材３０３）を備えていることを特徴とする遊技機。
【０２３０】
特徴Ａ１によれば、固定具の挿通部を固定手段に対して挿通すると、挿通部が第１構成体及び第２構成体に跨る状態で、頭部と固定手段とが当接する。かかる状態では、固定具の係止部が固定手段に対して係止されている。これにより、第１構成体及び第２構成体が固定される。つまり、頭部によって固定手段に対する固定具の位置が決定されるとともに、固定手段に対する固定具の入り込みが規制されている。
【０２３１】
また、固定手段による固定状態が解除された場合には、所定の痕跡が残存するため、基板ボックスの開放履歴を容易に確認することができる。そして、別の固定手段を用いることによって両構成体を再度固定することができる。これにより、基板ボックスの不正な開放行為を抑制することができる。
【０２３２】
ここで、頭部と係止箇所との間隔が調整されるため、例えば頭部と係止箇所との間隔が異なる固定手段が設けられている場合であっても同一の固定具を使用することができる。これにより、固定具を有効に活用することができる。
【０２３３】
特徴Ａ２．特徴Ａ１において、前記基板ボックスには、前記痕跡箇所を覆う痕跡カバー部材を取り付け可能とされており、
前記間隔調整手段は、前記痕跡カバー部材が前記基板ボックスに取り付けられていない場合には、前記頭部と前記係止部とによって両構成体のうち少なくとも一方の一部又は全部が挟み込まれるように前記間隔を調整する一方、前記痕跡カバー部材が前記基板ボックスに取り付けられている場合には、前記頭部及び前記固定手段によって前記痕跡カバー部材が挟み込まれた状態で前記係止部が係止可能となるように、前記間隔を調整するものであることを特徴とする遊技機。
【０２３４】
特徴Ａ２によれば、痕跡カバー部材が基板ボックスに対して取り付けられた場合、所定の痕跡箇所が痕跡カバー部材によって覆われている。これにより、痕跡箇所に対する不正行為を抑制することができる。よって、痕跡箇所に対して不正行為を行うことによって、痕跡が目立ちにくい不正行為を抑制することができる。また、仮に痕跡箇所に対する不正行為が行われた場合には、痕跡カバー部材に当該行為の痕跡が残存するため、当該不正行為を容易に確認することができる。
【０２３５】
かかる構成において、痕跡カバー部材が基板ボックスに対して取り付けられている場合に、痕跡カバー部材を介して固定具を固定手段に対して挿通すると、痕跡カバー部材は頭部と固定手段とによって挟まれる。この場合、痕跡カバー部材によって頭部と係止箇所との間隔に変動が生じるため、当該変動に対応した固定具を別途用意する必要が生じるおそれがある。これに対して、本特徴によれば、係止部が係止可能となるように係止箇所と頭部との間隔が調整されるため、同一の固定具によって両構成体を固定することができる。これにより、痕跡箇所に対する不正行為を抑制するとともに、痕跡カバー部材を取り付けたことによって生じ得る不都合を回避することができる。
【０２３６】
特徴Ａ３．特徴Ａ２において、前記間隔調整手段は、前記痕跡カバー部材が前記基板ボックスに取り付けられている場合には、前記頭部と前記固定手段との両者に当接した状態で挟み込まれるように前記間隔を調整するものであることを特徴とする遊技機。
【０２３７】
特徴Ａ３によれば、痕跡カバー部材が基板ボックスに取り付けられた場合には、痕跡カバー部材は頭部と固定手段との両者に対して当接しているため、痕跡カバー部材と頭部との間、及び痕跡カバー部材と固定手段との間に隙間が形成されにくい。よって、これらの隙間から不正治具を挿入する等の不正行為を抑制することができる。
【０２３８】
特徴Ａ４．特徴Ａ１乃至Ａ３のいずれか１において、前記間隔調整手段は、前記固定手段と当接することによって、前記固定手段に対する前記固定具のそれ以上の挿通を規制するストッパ部材（ストッパ部材３０３）を備え、
前記係止部は、前記ストッパ部材が前記固定手段に当接されている状態において、前記固定手段に対して係止するように形成されており、
前記ストッパ部材は、前記固定具に対して着脱自在に取り付けられているものであることを特徴とする遊技機。
【０２３９】
特徴Ａ４によれば、ストッパ部材によって固定手段に対する固定具の挿通限界が規定されており、当該規定された状態において固定具が固定手段に対して係止される。そして、ストッパ部材は固定具に対して着脱自在に取り付けられているため、ストッパ部材がない場合とストッパ部材がある場合の選択により、頭部と係止箇所との間隔の調整が実現されている。これにより、ストッパ部材の着脱によって上記間隔調整が可能であるため、間隔の調整を容易に行うことができる。
【０２４０】
特徴Ａ５．特徴Ａ４において、前記ストッパ部材は、前記挿通部が先端側から挿通可能な環状に形成されているとともに、前記固定手段における前記固定具の挿通箇所周縁に対して当接するように、前記挿通部の挿通方向に対して直交する方向に拡張されていることを特徴とする遊技機。
【０２４１】
特徴Ａ５によれば、ストッパ部材が固定手段と当接している状態では、挿通部と固定手段との境界がストッパ部材によって覆われている。これにより、当該境界からの不正行為を抑制することができる。
【０２４２】
特徴Ａ６．特徴Ａ４又は特徴Ａ５において、前記ストッパ部材は、前記係止部が前記固定手段に対して係止されている状態において、前記頭部を収容する頭収容部（頭収容部３１０）を備えていることを特徴とする遊技機。
【０２４３】
固定手段に対する不正行為として、頭部を掴んで引き抜くことが考えられる。特に、特徴Ａ２又は特徴Ａ３の構成の場合、係止箇所と頭部との間隔は、痕跡カバー部材が頭部と固定手段とによって挟み込まれるように調整されているため、頭部は固定手段に対して離間した位置に配置されている。これにより、頭部を掴んで引き抜くといった不正行為が行われることが懸念される。これに対して、本特徴によれば、係止部が係止されている状態において頭部が頭収容部に収容されているため、頭部を掴みにくい。これにより、上記不正行為を抑制することができ、間隔調整手段によって生じ得る不都合を回避することができる。
【０２４４】
特徴Ａ７．特徴Ａ６において、前記ストッパ部材の外周面は、前記頭収容部側から前記固定手段との当接箇所へ向かう末広がり形状となるように形成されていることを特徴とする遊技機。
【０２４５】
頭収容部を備えたストッパ部材が固定具に取り付けられた場合、ストッパ部材を掴んでストッパ部材ごと固定具を引き抜くといった不正行為が考えられる。これに対して、本特徴によれば、ストッパ部材の外周面が末広がりとなるように形成されているため、ストッパ部材を掴みにくくなっている。これにより、上記不正行為を抑制することができる。
【０２４６】
特徴Ａ８．特徴Ａ４乃至Ａ７のいずれか１において、前記ストッパ部材は、前記固定具が前記固定手段に対して係止されている場合には、前記頭部と前記固定手段との両者に当接した状態で挟み込まれるように形成されていることを特徴とする遊技機。
【０２４７】
特徴Ａ８によれば、ストッパ部材は、頭部と固定手段とによって遊びのない状態で挟み込まれている。これにより、ストッパ部材と頭部との間、及びストッパ部材と固定手段との間に隙間が形成されにくいため、これらの隙間からの不正行為を抑制することができる。
【０２４８】
また、特徴Ａ５の構成を備えたストッパ部材の場合には、固定手段に対するストッパ部材の移動が、固定具（挿通部及び頭部）との当接及び固定手段との当接によって規制されている。これにより、固定具を固定手段から取り外すことなくストッパ部材を取り外すことが困難になっている。よって、ストッパ部材の不正な取り外しを抑制することができる。
【０２４９】
特徴Ａ９．特徴Ａ８において、前記ストッパ部材は弾性を有し、
前記固定具は、前記ストッパ部材が弾性変形した状態で挟み込まれているものであることを特徴とする遊技機。
【０２５０】
特徴Ａ９によれば、ストッパ部材の弾性変形によって生じる付勢力が固定手段及び頭部によって受けられている。これにより、付勢力が生じていない場合と比較して、ストッパ部材と、頭部及び固定手段との間に隙間がより形成されにくいため、これらの隙間からの不正行為を抑制することができる。
【０２５１】
特徴Ａ１０．第１構成体と第２構成体とを含む複数のボックス構成体により形成された基板ボックスを有するとともに、当該基板ボックス内に収容された制御基板を有する制御基板装置と、
固定具が前記第１構成体及び前記第２構成体に跨るように挿通されて係止されることによって、前記第１構成体と前記第２構成体との分離を規制するようにこれら両構成体を固定するとともに、破壊又は除去により当該固定状態が解除された場合には所定の痕跡を残存させる複数の固定手段と、
を備えた遊技機において、
前記基板ボックスには、前記痕跡箇所を覆う痕跡カバー部材を取り付け可能とされており、
前記固定具は、
前記複数の固定手段のうち１の固定手段に対して挿通される挿通部と、
前記挿通部の基端側に設けられ、前記挿通部が前記第１構成体及び前記第２構成体に跨る状態において、前記固定手段と当接する頭部と、
前記挿通部の前記頭部より先端側に設けられ、前記頭部が前記固定手段と当接している状態において、前記固定手段に対して係止する係止部と、
を備え、
前記複数の固定手段は、
前記挿通部が挿通された場合に前記頭部と当接する当接部と、
前記頭部と前記当接部とが当接している状態において、前記係止部が係止される第１係止受け部と、
前記痕跡カバー部材が前記基板ボックスに取り付けられている場合に、前記頭部及び前記固定手段によって前記痕跡カバー部材が挟み込まれた状態で、前記係止部が係止される第２係止受け部と、
を備えていることを特徴とする遊技機。
【０２５２】
特徴Ａ１０によれば、痕跡カバー部材が基板ボックスに取り付けられていない状況下では、頭部と固定手段とが当接している状態にて第１係止受け部に係止部が係止されることによって第１構成体及び第２構成体の固定が実現されている一方、痕跡カバー部材が基板ボックスに取り付けられている状況下では、痕跡カバー部材が頭部と固定手段とによって挟み込まれた状態で、第２係止受け部に係止部が係止されることによって第１構成体及び第２構成体の固定が実現されている。これにより、同一の固定具を用いて第１構成体及び第２構成体の固定を行うことができる。
【０２５３】
なお、第１係止受け部及び第２係止受け部は、複数の固定手段にそれぞれ設けられる構成としてもよいし、１の固定手段に第１係止受け部及び第２係止受け部の双方が設けられる構成としてもよい。
【０２５４】
特徴Ａ１１．第１構成体と第２構成体とを含む複数のボックス構成体により形成された基板ボックスを有するとともに、当該基板ボックス内に収容された制御基板を有する制御基板装置と、
固定具が前記第１構成体及び前記第２構成体に跨るように挿通されて係止されることによって、前記第１構成体と前記第２構成体との分離を規制するようにこれら両構成体を固定するとともに、破壊又は除去により当該固定状態が解除された場合には所定の痕跡を残存させる複数の固定手段と、
を備えた遊技機において、
前記基板ボックスには、前記痕跡箇所を覆う痕跡カバー部材を取り付け可能とされており、
前記固定具は、
前記複数の固定手段のうち１の固定手段に対して挿通される挿通部と、
前記挿通部の基端側に設けられ、前記挿通部が前記第１構成体及び前記第２構成体に跨る状態において、前記固定手段と当接する頭部と、
前記挿通部の前記頭部より先端側に設けられ、前記頭部が前記固定手段と当接している状態において、前記固定手段に対して係止する第１係止部と、
前記痕跡カバー部材が取り付けられている場合に、前記頭部及び前記固定手段によって前記痕跡カバー部材が挟み込まれた状態で、前記固定手段に対して係止する第２係止部と、
を備えていることを特徴とする遊技機。
【０２５５】
特徴Ａ１１によれば、痕跡カバー部材が基板ボックスに取り付けられていない状況下では、頭部と固定手段とが当接している状態にて、固定手段に対して第１係止部が係止されることによって第１構成体及び第２構成体の固定が実現されている一方、痕跡カバー部材が基板ボックスに取り付けられている状況下では、痕跡カバー部材が頭部と固定手段とによって挟み込まれた状態で、固定手段に対して第２係止部が係止されることによって第１構成体及び第２構成体の固定が実現されている。これにより、同一の固定具を用いて第１構成体及び第２構成体の固定を行うことができる。
【０２５６】
特徴Ａ１２．特徴Ａ１乃至Ａ１１のいずれか１において、前記複数の固定手段は、前記第１構成体に設けられた第１結合部（第２表側結合部１５１）と、前記第１結合部に対応して前記第２構成体に設けられた第２結合部（第２裏側結合部１５２）と、からなる結合体（第２固定部１３２）と、
前記結合体と前記基板ボックスとを連結する連結部（第２連結部１７５）と、
をそれぞれ備え、
前記複数の固定手段は、少なくとも１つの固定手段の結合体に対して前記固定具が挿通されて係止されることによって両構成体を固定する一方、前記連結部を破壊し、前記結合体を前記基板ボックスから分離させることによって前記固定状態を解除するものであり、
前記係止部は、前記係止状態が解除される方向へ変位可能であることを特徴とする遊技機。
【０２５７】
特徴Ａ１２によれば、連結部が破壊され、結合体が基板ボックスから分離されることによって固定状態が解除される。これにより、連結部が破壊された痕跡が開放履歴として残存する。
【０２５８】
ここで、係止部が結合体に対して係止されているため、固定具ごと結合体は基板ボックスから分離される。固定具は、係止部を係止状態が解除される方向へ変位することによって、破壊することなく結合体から容易に取り外される。これにより、再度の固定処理の際に、上記取り外された固定具を使用することができる。よって、予備の固定具を用意しておくこと、その収容スペースを確保しておくことが不要となるため、構成の簡素化を図ることができる。
【０２５９】
特に、固定具は不正行為を行う際に使用される場合があり、固定具の流通は最大限抑制される必要がある。この点、本特徴によれば、予備の固定具を用意しておく必要がないため、固定具の流通を抑制することができる。これにより、固定具を使用した不正行為を抑制することができる。
【０２６０】
また、特徴Ａ２との関係では、基板ボックスを一度開放したことによって形成された痕跡を覆う痕跡カバー部材を基板ボックスに取り付けた状態で再度の固定処理を行う。これにより、痕跡箇所が痕跡カバー部材によって覆われるため、痕跡箇所に対する不正行為を抑制することができる。この場合に、痕跡カバー部材を取り付ける前に使用していた固定具を痕跡カバー部材が取り付けられた後の再度の固定処理に使用することができる。
【０２６１】
特徴Ａ１３．特徴Ａ１２において、前記固定具は、前記挿通部として中空状の筒部と、
前記係止部として、当該筒部に設けられ、自然状態では前記筒部の外周面より突出しており、内周方向への押圧により弾力に抗して筒部の外周面又はそれよりも内方に押し込まれる係止爪部と、
を備えていることを特徴とする遊技機。
【０２６２】
特徴Ａ１３によれば、自然状態では係止爪部が筒部の外周面より突出し、内周方向への押圧により係止爪部が弾力に抗して筒部外周面又はそれよりも内方に押し込まれる。これにより、固定具の再使用のための構造が容易に実現できる。
【０２６３】
特徴Ｂ１．少なくとも遊技機に関する制御を司る制御基板を収容可能な内部空間を形成する第１構成体及び第２構成体と、
前記第１構成体及び前記第２構成体を固定するとともに、破壊又は除去により当該固定状態が解除された場合には所定の痕跡を残存させる固定手段と、
を備えた遊技機用基板ボックスに対して取り付ける基板ボックス用カバー部材であって、
自身を離脱不可又は離脱困難な状態で前記基板ボックスの所定の設置箇所に取り付ける取付部（貫通孔２０１）と、
前記基板ボックスに対して取り付けられた場合に、少なくとも前記複数の固定手段により形成された痕跡箇所を覆う痕跡カバー部（表面カバー部１９３等）と、
を備えていることを特徴とする基板ボックス用カバー部材。
【０２６４】
特徴Ｂ１によれば、固定手段によって第１構成体及び第２構成体は固定状態となっているため、第１構成体及び第２構成体の分離が抑制される。これにより、基板ボックスを開放し制御基板に不正を施す行為を抑制することが可能となる。また、制御基板の検査に際して、固定手段による固定状態を解除した場合には、所定の痕跡が開放履歴として残存する。これにより、基板ボックスの開放履歴を容易に確認することができる。
【０２６５】
ここで、開放履歴としての痕跡箇所又はその近傍に対して、不正行為による痕跡が形成された場合、不正行為による痕跡が、開放履歴としての痕跡箇所付近以外の箇所に形成された場合に比べて、目立ちにくい。よって、痕跡が目立たないような不正行為が行われるおそれがある。
【０２６６】
これに対して、特徴Ｂ１によれば、基板ボックス用カバー部材が取付部によって離脱不可又は離脱困難な状態で基板ボックスの所定の設置箇所に取り付けられた場合、開放履歴としての痕跡箇所が痕跡カバー部によって覆われる。これにより、開放履歴としての痕跡箇所に対して不正を施す行為を抑制することができる。よって、上記不正行為を抑制することができる。
【０２６７】
また、基板ボックス用カバー部材は、基板ボックスに対して離脱不可又は離脱困難な状態で取り付けられているため、開放履歴としての痕跡箇所に対して不正を施す際には、基板ボックス用カバー部材に対して穴を設ける等の処理が必要となる。すると、基板ボックス用カバー部材には、不正行為による痕跡が残存することとなる。よって、仮に基板ボックス用カバー部材が基板ボックスに取り付けられた状態において、開放履歴としての痕跡箇所に対して不正行為が行われたとしても、基板ボックス用カバー部材に不正行為による痕跡が残存するため、当該不正行為を容易に確認することができる。
【０２６８】
なお、基板ボックスが一度も開放されていない場合、すなわち開放履歴としての痕跡が形成されていない場合においては、基板ボックス用カバー部材は、遊技機とは別に管理されていてもよいし、遊技機に取り付けられていてもよい。また、遊技機に取り付けられている場合、基板ボックスに取り付けられていてもよいし、それ以外の箇所に取り付けられていてもよい。
【０２６９】
特徴Ｂ２．少なくとも遊技に関する制御を司る制御基板を収容可能な内部空間を形成する第１構成体（表側構成体１０１）及び第２構成体（裏側構成体１０２）と、
前記第１構成体及び前記第２構成体を固定するとともに、破壊又は除去により当該固定状態が解除された場合には所定の痕跡を残存させる複数の固定手段と、
を備えた遊技機用基板ボックスに対して取り付ける基板ボックス用カバー部材であって、
自身を離脱不可又は離脱困難な状態で前記基板ボックスの所定の設置箇所に取り付ける取付部（貫通孔２０１）と、
前記基板ボックスに対して取り付けられた場合に、少なくとも前記複数の固定手段により形成された痕跡箇所を覆う痕跡カバー部（表面カバー部１９３等）と、
を備えていることを特徴とする基板ボックス用カバー部材。
【０２７０】
特徴Ｂ２によれば、固定手段によって第１構成体及び第２構成体は固定状態となっているため、第１構成体及び第２構成体の分離が抑制される。これにより、基板ボックスを開放し制御基板に不正を施す行為を抑制することが可能となる。また、制御基板の検査に際して、固定手段による固定状態を解除した場合には、所定の痕跡が開放履歴として残存する。これにより、基板ボックスの開放履歴を容易に確認することができる。また、基板ボックスには、複数の固定手段が設けられているため、破壊等によって基板ボックスを開放して基板の検査等を行った場合、当該破壊された固定手段とは別の固定手段を使用することにより、第１構成体及び第２構成体を再度固定状態とすることができるようになっている。
【０２７１】
ここで、開放履歴としての痕跡箇所又はその近傍に対して、不正行為による痕跡が形成された場合、不正行為による痕跡が、開放履歴としての痕跡箇所付近以外の箇所に形成された場合に比べて、目立ちにくい。よって、痕跡が目立たないような不正行為が行われるおそれがある。
【０２７２】
これに対して、特徴Ｂ２によれば、基板ボックス用カバー部材が取付部によって離脱不可又は離脱困難な状態で基板ボックスの所定の設置箇所に取り付けられた場合、開放履歴としての痕跡箇所が痕跡カバー部によって覆われる。これにより、開放履歴としての痕跡箇所に対して不正を施す行為を抑制することができる。よって、上記不正行為を抑制することができる。
【０２７３】
また、基板ボックス用カバー部材は、基板ボックスに対して離脱不可又は離脱困難な状態で取り付けられているため、開放履歴としての痕跡箇所に対して不正を施す際には、基板ボックス用カバー部材に対して穴を設ける等の処理が必要となる。すると、基板ボックス用カバー部材には、不正行為による痕跡が残存することとなる。よって、仮に基板ボックス用カバー部材が基板ボックスに取り付けられた状態において、開放履歴としての痕跡箇所に対して不正行為が行われたとしても、基板ボックス用カバー部材に不正行為による痕跡が残存するため、当該不正行為を容易に確認することができる。
【０２７４】
なお、基板ボックスが一度も開放されていない場合、すなわち開放履歴としての痕跡が形成されていない場合においては、基板ボックス用カバー部材は、遊技機とは別に管理されていてもよいし、遊技機に取り付けられていてもよい。また、遊技機に取り付けられている場合、基板ボックスに取り付けられていてもよいし、それ以外の箇所に取り付けられていてもよい。
【０２７５】
特徴Ｂ３．特徴Ｂ２において、前記複数の固定手段のそれぞれには、各固定手段と前記基板ボックスとを連結する連結部（第１連結部１７４、第２連結部１７５）が設けられており、
前記連結部が破壊された場合には、前記第１構成体及び前記第２構成体の固定が解除される基板ボックスに適用される基板ボックス用カバー部材であって、
前記痕跡カバー部は、前記基板ボックスに対して取り付けられた場合に、少なくとも前記連結部を覆うものであることを特徴とする基板ボックス用カバー部材。
【０２７６】
特徴Ｂ３によれば、固定手段と基板ボックスとが連結部を介して連結されている。当該連結部を破壊した場合に、第１構成体及び第２構成体の固定が解除され、基板ボックスが開放される。これにより、例えば連結部を破壊しやすく形成させておくことによって、検査などのために基板ボックスを開放する際の開放作業が容易になるとともに、破壊箇所が開放履歴として残存する。これにより、開放履歴を残しつつ、基板ボックスの開放作業を容易に行うことができる。
【０２７７】
かかる構成において、連結部が痕跡カバー部材によって覆われている。これにより、開放履歴としての痕跡箇所が痕跡カバー部材によって覆われている。よって、基板ボックスの開放作業を容易なものとしつつ、開放履歴としての痕跡に対する不正行為を抑制することができる。
【０２７８】
特徴Ｂ４．特徴Ｂ２又は特徴Ｂ３において、前記複数の固定手段を収容する固定手段収容領域（表側結合領域１８６、裏側結合領域１８４）を備え、前記固定手段収容領域内に前記複数の固定手段が収容されている基板ボックスに適用される基板ボックス用カバー部材であって、
前記痕跡カバー部は、前記固定手段収容領域を覆うものであることを特徴とする基板ボックス用カバー部材。
【０２７９】
特徴Ｂ４によれば、固定手段収容領域内に複数の固定手段が収容されている。そして、当該固定手段収容領域が痕跡カバー部によって覆われている。これにより、複数の固定手段に対する不正行為を抑制することができる。また、仮に当該不正行為が行われた場合には痕跡カバー部には痕跡が残存するため、当該不正行為を容易に発見することができる。
【０２８０】
特徴Ｂ５．特徴Ｂ２又は特徴Ｂ３において、前記固定手段は、固定具が前記第１構成体及び前記第２構成体に対して装着されることによって前記第１構成体及び前記第２構成体を固定するものであり、
前記複数の固定手段を収容する固定手段収容領域を形成し、さらに前記固定具の装着方向に開放された囲み部（囲み部１７９）を備えた基板ボックスに適用される基板ボックス用カバー部材であって、
前記痕跡カバー部は、前記囲み部の開放部位を覆うものであることを特徴とする基板ボックス用カバー部材。
【０２８１】
特徴Ｂ５によれば、囲み部が固定具の装着方向に開放されているため、当該方向から固定具を固定手段に装着することができる一方、装着方向から不正治具等を挿入する不正行為が想定される。これに対して、本特徴によれば、カバー部材が基板ボックスに対して取り付けられている場合、囲み部の開放部位が痕跡カバー部によって覆われる。これにより、上記不正行為を抑制することができる。よって、固定具の装着を可能にしつつ、複数の固定手段に対する不正行為を抑制することができる。また、仮に不正行為が行われた場合には、痕跡カバー部に当該不正行為の痕跡が残存することとなるため、当該不正行為が行われたことを容易に発見することができる。
【０２８２】
特徴Ｂ６．特徴Ｂ５において、前記痕跡カバー部は、前記囲み部を収容する囲み部収容領域を備えていることを特徴とする基板ボックス用カバー部材。
【０２８３】
特徴Ｂ６によれば、カバー部材が基板ボックスに取り付けられた場合、囲み部は囲み部収容領域に収容される。これにより、開放部位とともに開放部位及び痕跡カバー部の境界が痕跡カバー部によって連続的に覆われる。よって、当該境界に対する不正行為を抑制することができる。
【０２８４】
特徴Ｂ７．特徴Ｂ６において、前記痕跡カバー部は、前記囲み部収容領域を区画する区画壁部を備え、
前記区画壁部は、前記囲み部が挿通可能な開口部（開口部１９２）を備え、
前記開口部は、前記基板ボックスに取り付けられた状態において前記基板ボックスとの協働によって塞がれるように形成されていることを特徴とする基板ボックス用カバー部材。
【０２８５】
特徴Ｂ７によれば、区画壁部には、囲み部が挿通可能な大きさの開口部が設けられているため、当該開口部を介してカバー部材を囲み部に対して取り付けることができる。ここで、取り付けられた状態において開口部は基板ボックスによって塞がれるため、区画壁部と基板ボックスとによって閉空間が形成され、当該閉空間内に複数の固定手段が収容されることとなる。これにより、外部からの複数の固定手段に対する不正行為を抑制することができる。
【０２８６】
なお、「前記基板ボックスに取り付けられた状態において、前記基板ボックスとの協働によって前記開口部が塞がれるように形成されている」の具体的な構成としては、「前記第１構成体及び前記第２構成体はそれぞれ、前記内部空間を規定する側壁を備え、前記開口部は、前記基板ボックスに取り付けられた状態において前記側壁に突き合わされて塞がれるように形成されている」が考えられる。
【０２８７】
特徴Ｂ８．特徴Ｂ５乃至Ｂ７のいずれか１において、前記囲み部は、前記第１構成体に設けられた第１囲み壁部（表側囲み壁部１８３）と、前記第２構成体に設けられた第２囲み壁部（裏側囲み壁部１８２）とを備え、
前記固定手段収容領域は、前記第１囲み壁部及び前記第２囲み壁部によって囲まれた領域である基板ボックスに適用される基板ボックス用カバー部材であって、
前記区画壁部は、前記第１囲み壁部及び前記第２囲み壁部の分離を規制する規制部（表面カバー部１９３、裏面カバー部１９４）を備えていることを特徴とする基板ボックス用カバー部材。
【０２８８】
特徴Ｂ８によれば、第１構成体に設けられた第１囲み壁部と、第２構成体に設けられた第２囲み壁部とによって固定手段収容領域が形成されている。これにより、基板ボックスを開放する場合、すなわち第１構成体及び第２構成体を分離させる場合に、囲み部を破壊する必要がない。よって、基板ボックスを開放した後に、再度第１構成体及び第２構成体の固定を行った場合であっても、複数の固定手段は囲み部によって覆われているため、外部からの不正行為を抑制することができる。
【０２８９】
かかる構成において、第１囲み壁部及び第２囲み壁部の分離が規制部によって規制されている。これにより、第１囲み壁部を備えている第１構成体と、第２囲み壁部を備えている第２構成体との分離が規制されている。よって、第１構成体及び第２構成体を分離させるには、基板ボックス用カバー部材の破壊又は除去と、固定手段の破壊とを要することになる。よって、基板ボックスの開放作業に手間取るため、基板ボックスの不正開放行為を抑制することができる。また、仮に基板ボックスの不正な開放が行われた場合には、当該行為の痕跡が規制部にも残存することとなる。よって、基板ボックスが不正に開放された事実を容易に発見することができる。
【０２９０】
特徴Ｂ９．特徴Ｂ８において、前記第１構成体及び前記第２構成体が組み合わされた場合に、周縁において境界が生じるように形成されている基板ボックスに適用される基板ボックス用カバー部材であって、
前記区画壁部は、前記規制部として前記境界を広げる方向に離間した位置に第１規制壁部（表面カバー部１９３）及び第２規制壁部（裏面カバー部１９４）を備えており、
前記第１囲み壁部及び前記第２囲み壁部は、前記第１規制壁部と前記第２規制壁部とによって挟まれた領域に配置されていることを特徴とする基板ボックス用カバー部材。
【０２９１】
特徴Ｂ９によれば、第１規制壁部及び第２規制壁部は、第１構成体及び第２構成体の境界を広げる方向に対して離間して配置されている。そして、第１囲み壁部及び第２囲み壁部は第１規制壁部及び第２規制壁部によって挟まれている。これにより、第１構成体及び第２構成体の境界を広げる方向へ第１構成体及び第２構成体を相対移動させると、両囲み壁部と、第１規制壁部及び第２規制壁部とが当接する。これにより、当該移動が規制されている。よって、両構成体の分離が抑制されている。
【０２９２】
特徴Ｂ１０．特徴Ｂ７乃至Ｂ９のいずれか１において、前記区画壁部は、自身を前記基板ボックスに対する所定の設置箇所に誘導するガイド部（側面カバー部１９５）を備えていることを特徴とする基板ボックス用カバー部材。
【０２９３】
特徴Ｂ１０によれば、基板ボックス用カバー部材を基板ボックスの所定の設置箇所に取り付ける際、基板ボックス用カバー部材がガイド部によって所定の設置箇所に誘導される。これにより、基板ボックス用カバー部材の取付作業が容易になる。よって、作業性の向上を図ることができる。
【０２９４】
特徴Ｂ１１．特徴Ｂ１０において、前記区画壁部は、前記ガイド部として第１壁部を備え、
前記第１壁部の内側の面は、前記第１囲み壁部及び前記第２囲み壁部の外周面と当接するように形成されていることを特徴とする基板ボックス用カバー部材。
【０２９５】
特徴Ｂ１１によれば、第１壁部の内側の面が各囲み壁部の外周面と当接するように形成されているため、第１壁部の内側の面が各囲み壁部の外周面と当接するように、かつ各囲み壁部の外周面に沿って移動させることによって、基板ボックス用カバー部材が基板ボックスの所定の設置箇所に誘導される。これにより、基板ボックス用カバー部材を基板ボックスに容易に取り付けることができる。
【０２９６】
また、第１囲み壁部又は第２囲み壁部の一方を移動させようとしても、第１囲み壁部又は第２囲み壁部は第１壁部に当接するため、当該移動が規制される。これにより、第１壁部が規制部として兼用されている。よって、第１壁部の多機能化を図ることができる。
【０２９７】
特徴Ｂ１２．特徴Ｂ２乃至Ｂ１１のいずれか１において、前記複数の固定手段のそれぞれには、前記第１構成体に設けられた第１結合部（第２表側結合部１５１）と、前記第１結合部に対応して前記第２構成体に設けられた第２結合部（第２裏側結合部１５２）と、からなる結合体（第２固定部１３２）が設けられており、前記複数の固定手段のうち少なくとも１つの固定手段の結合体に対して固定具（結合ピン１５５）が挿通され、固定されることにより前記第１構成体及び前記第２構成体が固定される基板ボックスに適用される基板ボックス用カバー部材であって、
前記取付部は、前記基板ボックスに対して取り付けられた際、前記複数の固定手段のうち少なくとも１つの固定手段における結合体に対応した位置に配置されており、
前記取付部及び前記結合体の組み合わせに対して固定具（取付ピン２０２）が挿通され、固定されることによって自身を離脱不可又は離脱困難な状態で前記基板ボックスの所定の設置箇所に取り付ける構成であることを特徴とする基板ボックス用カバー部材。
【０２９８】
特徴Ｂ１２によれば、第１構成体に設けられた第１結合部及び第１結合部に対応して第２構成体に設けられた第２結合部からなる結合体がそれぞれの固定手段に設けられている。複数の固定手段のうち少なくとも１の固定手段の結合体に固定具が挿通され、固定されることによって、第１構成体及び第２構成体は固定される。
【０２９９】
ここで、基板ボックス用カバー部材が基板ボックスに取り付けられた場合、複数の固定手段のうち少なくとも１つの固定手段の結合体に対応した位置に取付部が配置されている。そして、取付部及びそれに対応している結合体の組み合わせに対して固定具を挿通させ、固定させることにより基板ボックス用カバー部材が所定の設置箇所に固定される。つまり、第１構成体及び第２構成体を固定するために用いられる結合体が、基板ボックス用カバー部材の固定に用いられている。したがって、基板ボックス用カバー部材の固定に関して、構成の簡素化を図ることができる。また、基板ボックス用カバー部材を基板ボックスに取り付けるために、基板ボックスに対して加工を施す必要がない。
【０３００】
特徴Ｂ１３．特徴Ｂ１２において、前記固定具は弾性変形可能な係止部（係止爪部２０５）を備え、
前記結合体には、前記係止部と係止する係止受け部（係止受け空間部１５９）が設けられ、
前記固定具が前記取付部及びそれに対応する前記結合体の組み合わせに対して挿通され、当該固定具の前記係止部と前記係止受け部とが係止状態となることにより、前記固定具が前記結合体に対して固定される基板ボックスに対して適用される基板ボックス用カバー部材であって、
前記固定具が前記結合体に対して固定された状況における前記係止部を所定の向きに規定する規定部（切欠部２１１、突起部２１２）が設けられていることを特徴とする基板ボックス用カバー部材。
【０３０１】
特徴Ｂ１３によれば、係止部は規定部によって所定の向きに規定される。これにより、係止部の向きによって、係止部に対するアクセスの容易性が変化する場合、係止部をアクセスしにくい向きに規定することによって、係止部に対する不正なアクセスを抑制することができる。
【０３０２】
なお、アクセスしにくい向きとしては、例えば係止部の向きが基板ボックスの内部空間側が考えられる。
【０３０３】
特徴Ｂ１４．特徴Ｂ１２又は特徴Ｂ１３において、自身を前記基板ボックスに取り付ける際に使用する固定具が取り外し可能に保持される保持手段（取付ピン収容部２２１）を更に備えていることを特徴とする基板ボックス用カバー部材。
【０３０４】
特徴Ｂ１４によれば、基板ボックス用カバー部材を取り付ける際に使用する固定具を保持することができる保持手段が基板ボックス用カバー部材に設けられているため、基板ボックスに対して当該保持手段を設ける必要がない。よって、基板ボックスの構成の簡素化を図ることができる。
【０３０５】
特徴Ｂ１５．特徴Ｂ１乃至Ｂ１４のいずれか１において、前記痕跡カバー部は透明性を有することを特徴とする基板ボックス用カバー部材。
【０３０６】
特徴Ｂ１５によれば、痕跡カバー部が透明性を有しているため、痕跡カバー部によって覆われている痕跡箇所等を目視にて確認することが可能となる。これにより、仮に痕跡箇所に不正行為が行われた場合であっても、痕跡カバー部材を取り外すことなく容易に確認することができる。よって、カバー部材を取り付けることによって生じるおそれのある不都合を回避することができ、実用上好ましい構成を実現できる。
【０３０７】
特徴Ｂ１７．特徴Ｂ１乃至Ｂ１６のいずれか１に記載の基板ボックス用カバー部材を備えたことを特徴とする基板ボックス。
【０３０８】
特徴Ｂ１７によれば、上記特徴のいずれかの効果を奏することが可能な基板ボックスを得ることができる。
【０３０９】
特徴Ｂ１８．特徴Ｂ１乃至Ｂ１７のいずれか１に記載の基板ボックス用カバー部材を備えたことを特徴とする遊技機。
【０３１０】
特徴Ｂ１８によれば、上記特徴のいずれかの効果を生じさせる遊技機を得ることができる。
【０３１１】
以下に、以上の各手段を適用し得る各種遊技機の基本構成を示す。
【０３１２】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０３１３】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【図面の簡単な説明】
【０３１４】
【図１】一実施の形態におけるパチンコ機の構成を示す前方から見た斜視図。
【図２】遊技機本体の主要な構成を分解して示す分解斜視図。
【図３】内枠の構成を示す正面図。
【図４】遊技盤の構成を示す正面図。
【図５】内枠の構成を示す背面図。
【図６】裏パックユニットの構成を示す正面図。
【図７】払出制御装置の構成を示す斜視図。
【図８】払出制御装置の構成を示す正面図。
【図９】払出制御装置の構成を示す分解斜視図。
【図１０】払出制御装置の一部を拡大して示す側面図。
【図１１】（ａ）〜（ｃ）表側構成体と裏側構成体との組み付け作業を説明するための説明図。
【図１２】（ａ）第１固定部及び第２固定部の周辺構成を拡大して示す平面図、（ｂ）第１固定部及び第２固定部の周辺構成を拡大して示す底面図。
【図１３】（ａ）第１固定部の構成を示す断面図、（ｂ）第２固定部の構成を示す断面図。
【図１４】（ａ）〜（ｃ）表側構成体と裏側構成体とを固定する場合の作業の流れを説明するための説明図。
【図１５】（ａ）〜（ｃ）表側構成体と裏側構成体との固定を解除する場合の作業の流れを説明するための説明図。
【図１６】痕跡カバー部材を取り付けた状態における払出制御装置を示す斜視図。
【図１７】（ａ）痕跡カバー部材の構成を示す斜視図、（ｂ）痕跡カバー部材の構成を示す平面図、（ｃ）痕跡カバー部材の構成を示す断面図。
【図１８】（ａ）痕跡カバー部材が取り付けられた払出制御装置の周辺構成を示す平面図、（ｂ）痕跡カバー部材が取り付けられた払出制御装置の周辺構成を示す底面図。
【図１９】第１固定部の構成を示す断面図。
【図２０】第２固定部の構成を示す断面図。
【図２１】（ａ）〜（ｄ）痕跡カバー部材を基板ボックスに取り付ける場合の作業の流れを説明するための説明図。
【図２２】パチンコ機の電気的構成を示すブロック図。
【図２３】（ａ）結合具ユニットの構成を示す平面図、（ｂ）結合具ユニットの構成を示す断面図。
【図２４】固定部の周辺構成を拡大して示す平面図。
【図２５】結合具ユニットを用いた固定の構成を示す断面図。
【図２６】（ａ）〜（ｃ）痕跡カバー部材を基板ボックスに取り付ける場合の作業の流れを説明するための説明図。
【図２７】別の払出制御装置の構成を説明するための説明図。
【図２８】別の痕跡カバー部材の構成を説明するための説明図。
【図２９】別の痕跡カバー部材の構成を説明するための説明図。
【符号の説明】
【０３１５】
１０…パチンコ機、８２…払出制御装置、９１…払出制御基板、９２…基板ボックス、１０１…表側構成体、１０２…裏側構成体、１０３…表側周縁部、１０４…膨出部、１０５…平面部、１０６…裏側周縁部、１１１…フック部、１１２…凸部、１２１…係止受け、１２２…凹部、１２３…受け部、１３１…第１固定部、１３２…第２固定部、１７５…第１連結部、１７６…第２連結部、１７９…囲み部、１８０…ベース部、１８１…囲み壁部、１８２…裏側囲み壁部、１８３…表側囲み壁部、１９１…痕跡カバー部材、１９３…表面カバー部、１９４…裏面カバー部、１９５…側面カバー部、２０２…取付ピン、２２１…取付ピン収容部、３０１…結合具ユニット、３０２…併用ピン、３０３…ストッパ部材。
【図１】
2010142358.tif 000003
【図２】
2010142358.tif 000004
【図３】
2010142358.tif 000005
【図４】
2010142358.tif 000006
【図５】
2010142358.tif 000007
【図６】
2010142358.tif 000008
【図７】
2010142358.tif 000009
【図８】
2010142358.tif 000010
【図９】
2010142358.tif 000011
【図１０】
2010142358.tif 000012
【図１１】
2010142358.tif 000013
【図１２】
2010142358.tif 000014
【図１３】
2010142358.tif 000015
【図１４】
2010142358.tif 000016
【図１５】
2010142358.tif 000017
【図１６】
2010142358.tif 000018
【図１７】
2010142358.tif 000019
【図１８】
2010142358.tif 000020
【図１９】
2010142358.tif 000021
【図２０】
2010142358.tif 000022
【図２１】
2010142358.tif 000023
【図２２】
2010142358.tif 000024
【図２３】
2010142358.tif 000025
【図２４】
2010142358.tif 000026
【図２５】
2010142358.tif 000027
【図２６】
2010142358.tif 000028
【図２７】
2010142358.tif 000029
【図２８】
2010142358.tif 000030
【図２９】
2010142358.tif 000031